(57)【特許請求の範囲】
【請求項１】
給湯源から供給される湯と給水源から供給される水とを混合した湯水を吐止水する湯水混合水栓装置であって、
給湯源から供給された湯と、給水源から供給された水とが混合される湯水混合部を備えた水栓本体と、
上記水栓本体に設けられ、手動により開閉し、上記水栓本体に対して吸気及び排水を行う吸気排水弁と、
この吸気排水弁を手動により開閉操作する単一の手動操作部と、を有し、
上記吸気排水弁は、上記水栓本体への給水が停止される水抜き操作を行った後に、上記単一の手動操作部を手動操作することにより開弁し、上記湯水混合部の上流側の湯及び水のそれぞれの流路に対して吸気が行われ、且つ、上記湯水混合部の下流側の湯水の流路に対して吸気又は排水が行われるように構成されていることを特徴とする湯水混合水栓装置。
【請求項２】
更に、上記湯水混合部の上流側から湯及び水のそれぞれが流入する湯流入部及び水流入部と、これらの湯流入部及び水流入部のそれぞれから流入する湯及び水の量を調節して混合することにより温度調節した湯水を流出させる湯水流出部と、を備えた温度調節機能部を有し、この温度調節機能部は、上記湯流入部及び上記水流入部から上記湯水流出部に向かって下方に傾斜するように上記水栓本体内に傾斜して配置されている請求項１記載の湯水混合水栓装置。
【請求項３】
更に、上記湯水混合部で混合された湯水を吐出させるシャワーヘッドが先端部に設けられたシャワーホース部と、このシャワーホース部と上記水栓本体とを接続するシャワーホース接続部と、を有し、このシャワーホース接続部は、上記吸気排水弁により開閉される排水部の最低位置よりも上方に位置している請求項１又は２に記載の湯水混合水栓装置。
【請求項４】
給湯源から供給される湯と給水源から供給される水とを混合した湯水を吐止水する湯水混合水栓装置であって、
給湯源から供給された湯が通過する通湯路と、給水源から供給された水が通過する通水路と、上記通湯路に設けられて湯の逆流を防止する湯用逆流防止弁と、上記通水路に設けられて水の逆流を防止する水用逆流防止弁と、上記湯用逆流防止弁及び上記水用逆流防止弁よりも下流側に設けられて、上記通湯路から供給された湯の量と上記通水路から供給された水の量を調節して混合することにより湯水の温度調節を行う温度調節機能部と、を備えた水栓本体と、
上記水栓本体の下流側に設けられ、上記温度調節機能部で混合された湯水を吐出させるカラン吐水部と、
上記水栓本体の下流側に設けられ、上記温度調節機能部で混合された湯水を吐出させるシャワー吐水部と、
上記水栓本体の上記温度調節機能部の下流側に設けられ、上記カラン吐水部及び上記シャワー吐水部のそれぞれに湯水を供給する湯水混合路を開閉する開閉弁を備え、上記カラン吐水部からの吐水及び止水、並びに、上記シャワー吐水部からの吐水及び止水を切り替え可能な切替部と、
上記水栓本体に設けられ、外気を吸入可能な吸気部と、
上記水栓本体に設けられ、上記水栓本体内の残水を排水可能な排水部と、
上記吸気部及び上記排水部に手動で開閉可能に設けられ、上記給水源から上記水栓本体への給水が停止される水抜き操作を行った後に手動で開放されることにより、上記吸気部による吸気を可能にすると共に、上記排水部による排水を可能にする吸気排水弁と、
この吸気排水弁を手動により開閉操作する手動操作部と、を有し、
上記吸気部は、上記水用逆流防止弁よりも上流側の上記通水路である第１の流路に設けられた第１の吸気部と、上記湯用逆流防止弁よりも上流側の上記通湯路である第２の流路に設けられた第２の吸気部と、上記水用逆流防止弁及び上記湯用逆流防止弁のそれぞれから上記開閉弁までの第３の流路に設けられた第３の吸気部と、上記開閉弁から上記カラン吐水部までの第４の流路に設けられた第４の吸気部と、上記開閉弁から上記シャワー吐水部までの第５の流路に設けられた第５の吸気部と、を備え、
上記排水部は、上記第３の流路に設けられた第１の排水部と、上記第５の流路に設けられた第２の排水部と、を備えていることを特徴とする湯水混合水栓装置。
【請求項５】
上記第３の流路は、上記水用逆流防止弁から上記温度調節機能部までの第６の流路と、上記湯用逆流防止弁から上記温度調節機能部までの第７の流路と、上記温度調節機能部から上記開閉弁までの第８の流路と、を備え、
上記第３の吸気部は、上記第６の流路に設けられた第６の吸気部と、上記第７の流路に設けられた第７の吸気部と、備え、
上記第１の排水部は、上記第６の流路に設けられた第３の排水部と、上記第７の流路に設けられた第４の排水部と、上記第８の流路に設けられた第５の排水部と、を備えている請求項４記載の湯水混合水栓装置。
【請求項６】
給湯源から供給される湯と給水源から供給される水とを混合した湯水を吐止水する湯水混合水栓装置であって、
給湯源から供給された湯が通過する通湯路と、給水源から供給された水が通過する通水路と、上記通湯路から供給された湯と上記通水路から供給された水とが混合される湯水混合部と、この湯水混合部で混合された湯水が通過する湯水混合路と、を備えた水栓本体と、
上記水栓本体の下流側に設けられ、上記湯水混合路を通過した湯水を吐出させる吐水部と、
上記水栓本体に設けられ、上記通湯路、上記通水路及び上記湯水混合部を開閉することにより上記吐水部からの吐水及び止水を切り替え可能である共に、上記通湯路及び上記通水路のそれぞれから上記湯水混合部に流入する湯及び水のそれぞれの量を調節する開閉弁と、
上記水栓本体に設けられ、上記湯水混合部よりも上流側の上記通水路及び上記通湯路のそれぞれと上記湯水混合部よりも下流側の上記湯水混合路とを連通させる連通部と、
この連通部に開閉可能に設けられ、上記給水源から上記水栓本体への給水が停止される水抜き操作を行った後に手動で開放されることにより、上記連通部が開放された状態となり、上記水栓本体内に対して吸気及び排水を行う吸気排水弁と、
この吸気排水弁を手動により開閉操作する手動操作部と、を有し、
上記連通部は、上記通水路から上記吸気排水弁までの第１の連通部と、上記通湯路から上記吸気排水弁までの第２の連通部と、上記湯水混合路と上記吸気排水弁とを連通させる第３の連通部と、を備え、
上記水栓本体における上記吸気排水弁の近傍には、上記第３の連通部から排水された湯水を上記水栓本体の外部に排水する排水部が上記吸気排水弁により開閉可能に設けられ、上記第３の連通部及び上記排水部は、上記水抜き操作を行った後に手動により上記吸気排水弁を開弁させると、上記吐水部から上記湯水混合路に吸気され、上記湯水混合路から上記第３の連通部を経て上記第１の連通部及び上記第２の連通部のそれぞれに吸気され、上記湯水混合路内の湯水が上記第３の連通部を経て上記排水部から上記水栓本体の外部に排水されるように構成されていることを特徴とする湯水混合水栓装置。
【請求項７】
給湯源から供給される湯と給水源から供給される水とを混合した湯水を吐止水する湯水混合水栓装置であって、
給湯源から供給された湯が通過する通湯路と、給水源から供給された水が通過する通水路と、上記通湯路から供給された湯と上記通水路から供給された水とが混合される湯水混合部と、この湯水混合部で混合された湯水が通過する湯水混合路と、を備えた水栓本体と、
上記水栓本体の下流側に設けられ、上記湯水混合路を通過した湯水を吐出させる吐水部と、
上記水栓本体に設けられ、上記通湯路、上記通水路及び上記湯水混合部を開閉することにより上記吐水部からの吐水及び止水を切り替え可能である共に、上記通湯路及び上記通水路のそれぞれから上記湯水混合部に流入する湯及び水のそれぞれの量を調節する開閉弁と、
上記水栓本体に設けられ、上記湯水混合部よりも上流側の上記通水路及び上記通湯路のそれぞれと上記湯水混合部よりも下流側の上記湯水混合路とを連通させる連通部と、
この連通部に開閉可能に設けられ、上記給水源から上記水栓本体への給水が停止される水抜き操作を行った後に手動で開放されることにより、上記連通部が開放された状態となり、上記水栓本体内に対して吸気及び排水を行う吸気排水弁と、
この吸気排水弁を手動により開閉操作する手動操作部と、を有し、
上記連通部は、上記通水路から上記吸気排水弁までの第１の連通部と、上記通湯路から上記吸気排水弁までの第２の連通部と、上記湯水混合路と上記吸気排水弁とを連通させる第３の連通部と、を備え、上記水抜き操作を行った後に手動により上記吸気排水弁を開弁させると、上記吐水部から上記湯水混合路に吸気され、上記湯水混合路から上記第３の連通部を経て上記第１の連通部及び上記第２の連通部のそれぞれに吸気され、上記湯水混合路内の湯水が上記第３の連通部を経て上記第１の連通部及び上記第２の連通部のそれぞれから上記通水路及び上記通湯路のそれぞれに排水されるように構成されていることを特徴とする湯水混合水栓装置。
【請求項８】
更に、上記水栓本体における上記吸気排水弁の近傍に上記吸気排水弁により開閉可能に設けられて、上記第３の連通部から排水された湯水を上記水栓本体の外部に排水する排水部を有する請求項７記載の湯水混合水栓装置。
【発明の詳細な説明】
【技術分野】
【０００１】
本発明は、湯水混合水栓装置に関し、特に、寒冷地で用いられ、給湯源から供給される湯と給水源から供給される水とを混合した湯水を吐止水する湯水混合水栓装置に関する。
【背景技術】
【０００２】
まず、寒冷地で用いられ、給水源から供給された水を吐止水する単水栓装置として、例えば、特許文献１には、この水道用蛇口は、水道管に接続される接続部と、吐水、止水を切り換える栓機能部と、接続部と栓機能部の間に設けられた吸気弁を備えた水道用蛇口が記載されている。
この水道用蛇口が寒冷地に設置された場合、夜間に、蛇口本体内や水道管内の水が凍結するのを防止するために水抜きを行う必要があり、水道管の途中に設けた水抜き栓を水抜き側に操作することにより、流路に滞留している水が排出されるようになっている。すなわち、吸気弁から流路内に外気が吸入されることにより、水抜き栓の下流側から水道用蛇口の栓機能部の上流側までの流路に滞留している水が排出されるようになっている。
一方、栓機能部の下流側では、残水一部が吐水口から排出されることもあるが、残水が滞留する可能性も高く、すべての残水を吐水口から完全に排出することが難しいという問題がある。
【０００３】
また、特許文献２には、寒冷地での水道配管の途中に接続され、管内に空気を導入して、排水を行わせるための吸気弁について記載されている。この吸気弁には、水配管からの水圧と、ばねにより吸気弁の上流の吸気口を開閉するピストンが設けられ、水抜き操作時以外の通常時には、水の圧力が湯の圧力とばねの復元力を上回ることによってピストンが吸気口を閉鎖し、水抜き操作時には、水の圧力がばねの復元力を下回ることによってピストンが吸気口を開放し、吸気弁から外気が吸入されるようになっている。
【０００４】
さらに、特許文献３には、寒冷地の給水設備に設けられ、水抜き栓を操作するのみで配管内の水を自動的に排水することができる自動水抜き弁について記載されている。この自動水抜き弁が設けられた給水設備は、水道本管に連結された１次配管と、この１次配管に連結された水抜き栓と、この水抜き栓に連結されて給湯器まで延びる冷水用２次配管と、この冷水用２次配管に連結された冷水用ヘッダーと、給湯器と温水用ヘッダーとを連結する温水用２次配管と、冷水用ヘッダーと湯水混合水栓装置とを連結する給水配管と、温水用ヘッダーと湯水混合水栓装置とを連結する給湯配管とを備えており、湯水混合水栓装置よりも上流側の冷水用１次配管と給湯器との間には、第１の自動水抜き弁が設けられ、湯水混合水栓装置よりも上流側の冷水用ヘッダーと温水用ヘッダーとの間には、第２の自動水抜き弁が設けられている。
しかしながら、例えば、温度調節機能付きの湯水混合水栓装置の本体の内部には、その上流側から供給される湯及び水のそれぞれを混合し、吐水させる湯水の温度を調節したり、吐水部における吐止水を切り替える機能部等が設けられており、このような機能部に流入する湯及び水のそれぞれの流路や、機能部で混合された湯水が吐水部に流れる流路が複雑に形成されているが、湯水混合水栓装置の本体自体には自動水抜き弁が設けられていないため、水抜き栓を操作しただけでは、湯水混合水栓装置の本体内の流路に湯や水が滞留し、湯水混合水栓装置の本体内の残水を完全に排出することが難しいという問題がある。
また、寒冷地における水抜きについて、温度調節機能付きの湯水混合水栓装置について行う場合には、操作が煩雑になるという問題がある。
【０００５】
つぎに、図１８を参照して、従来の温度調節機能付きの湯水混合水栓装置における水抜きについて説明する。
図１８は、従来の温度調節機能付きの湯水混合水栓装置を示す概略図である。
図１８に示すように、従来の湯水混合水栓装置５００は、水栓本体５０２と、この水栓本体５０２に給湯器（図示せず）からの湯を供給する湯供給脚５０４と、水栓本体５０２に水道水を供給する水供給脚５０６を備えている。水栓本体５０２には、その左端部に取り付けられた湯温調節用ダイヤル５０８と、右端部に取り付けられた吐止水切替ハンドル５１０が設けられている。
また、水栓本体５０２の下流側には、温度調節された湯水を吐出させるカラン５１２及びシャワーヘッド５１４がそれぞれ設けられている。
さらに、水栓本体５０２には、カラン５１２からの吐水及び止水、並びに、シャワーヘッド５１４からの吐水及び止水を切り替え可能な切替ユニット５１６が内蔵されており、湯供給脚５０４及び水供給脚５０６のそれぞれから水栓本体５０２に供給された湯及び水は、水栓本体５０２内の通湯路５０２ａ及び通水路５０２ｂのそれぞれを通過し、温度調節部５１８で湯温調節用ダイヤル５０８によって設定された温度になるように混合され、吐止水切替ハンドル５１０が操作されることにより、カラン５１２から吐水されるか、シャワーヘッド５１４から吐水されるか、或いは双方からの吐水が停止されるように切り替えられるようになっている。したがって、湯水混合水栓装置５００においては、止水状態であっても温度調節部５１８内に水が充満し、温度調節部５１８内には湯及び水の供給圧力が作用している。
【０００６】
さらに、温度調節部５１８の上流側の、通湯路５０２ａ及び通水路５０２ｂのそれぞれには、逆流防止弁５２０ａ，５２０ｂがそれぞれ設けられている。すなわち、通湯路５０２ａ及び通水路５０２ｂは、止水状態においても、温度調節部５１８を介して連通しているため、給湯圧力と給水圧力に差がある場合、供給圧力の高い側から低い側へ逆流が発生する恐れがあるため、逆流防止弁５２０ａ，５２０ｂを設けることにより、温度調節部５１８から通湯路５０２ａ及び通水路５０２ｂへの湯水の逆流を防止している。
また、寒冷地において、このような従来の湯水混合水栓装置５００について水抜きを行う場合、各逆流防止弁５２０ａ，５２０ｂの上流側の湯供給脚５０４及び水供給脚５０６のそれぞれに設けられた水抜き用のコック５２２ａ，５２２ｂを水抜き側に操作して開放し、各水抜き用のコック５２２ａ，５２２ｂから外気が取り込まれ、各逆流防止弁５２０ａ，５２０ｂの上流側に滞留している湯及び水のそれぞれが排出されるようになっている。
【先行技術文献】
【特許文献】
【０００７】
【特許文献１】実開平４−１０８６５６号公報
【特許文献２】特開２００４−５２２８８号公報
【特許文献３】特開２００３−９６８３５号公報
【発明の概要】
【発明が解決しようとする課題】
【０００８】
しかしながら、従来の湯水混合水栓装置５００においては、各逆流防止弁５２０ａ，５２０ｂの下流側から、温度調節部５１８内、及び切替ユニット５１６内に滞留している湯水は、逆流防止弁５２０ａ，５２０ｂに阻止され、排出されることがないため、逆流防止弁５２０ａ，５２０ｂの下流側の通湯路５０２ａ又は通水路５０２ｂのいずれかの箇所に水抜き用のコック５２４が設けられている。
したがって、従来の湯水混合水栓装置５００について水抜きを行う場合には、湯供給脚５０４及び水供給脚５０６のそれぞれの水抜き用のコック５２２ａ，５２２ｂを水抜き側に操作して開放すると同時に、切替ユニット５１６の開閉弁５１６ａが開弁するように吐止水切替ハンドル５１０を操作して、カラン５１２又はシャワーヘッド５１４と連通させた状態で、湯温調節用ダイヤル５０８を回転操作し、各逆流防止弁５２０ａ，５２０ｂの下流側や温度調節部５１８内等に滞留している湯水を排出するという追加の作業が必要になるため、水抜き操作が煩雑になるという問題がある。
また、各水抜き用のコック５２２ａ，５２２ｂ，５２４や吐止水切替ハンドル５１０のいずれかの操作を忘れた場合には、水栓本体内に滞留している水が凍結して、温度調節部５１８等を損傷する恐れがあるという問題もある。
【０００９】
そこで、本発明は、上述した従来技術の問題を解決するためになされたものであり、煩雑な操作を要することなく、簡単に水抜きをすることができる湯水混合水栓装置を提供することを目的としている。
【課題を解決するための手段】
【００１０】
上述した課題を解決するために、本発明は、給湯源から供給される湯と給水源から供給される水とを混合した湯水を吐止水する湯水混合水栓装置であって、給湯源から供給された湯と、給水源から供給された水とが混合される湯水混合部を備えた水栓本体と、上記水栓本体に設けられ、手動により開閉し、上記水栓本体に対して吸気及び排水を行う吸気排水弁と、この吸気排水弁を手動により開閉操作する単一の手動操作部と、を有し、上記吸気排水弁は、上記水栓本体への給水が停止される水抜き操作を行った後に、上記手動操作部を単一の手動操作することにより開弁し、上記湯水混合部の上流側の湯及び水のそれぞれの流路に対して吸気が行われ、且つ、上記湯水混合部の下流側の湯水の流路に対して吸気又は排水が行われるように構成されていることを特徴としている。
このように構成された本発明においては、水栓本体への給水が停止される水抜き操作を行った後に、単一の手動操作部を手動操作することにより吸気排水弁を開弁させると、湯水混合部の上流側の湯及び水のそれぞれの流路に対して吸気が行われ、且つ、湯水混合部の下流側の湯水の流路に対して吸気又は排水が行われるため、煩雑な操作を要することなく、簡単に水栓本体内に対して水抜きをすることができる。また、水抜き操作を行った後に吸気排水弁を１回の手動操作により開弁させるだけで、水栓本体に対して吸気及び排水を同時に行うことができるため、効率よく且つ確実に水栓本体内の水抜きを行うことができる。
【００１１】
本発明において、好ましくは、更に、上記湯水混合部の上流側から湯及び水のそれぞれが流入する湯流入部及び水流入部と、これらの湯流入部及び水流入部のそれぞれから流入する湯及び水の量を調節して混合することにより温度調節した湯水を流出させる湯水流出部と、を備えた温度調節機能部を有し、この温度調節機能部は、上記湯流入部及び上記水流入部から上記湯水流出部に向かって下方に傾斜するように上記水栓本体内に傾斜して配置されている。
このように構成された本発明においては、湯水混合部の上流側から湯及び水のそれぞれが流入する湯流入部及び水流入部と、これらの湯流入部及び水流入部のそれぞれから流入する湯及び水の量を調節して混合することにより温度調節した湯水を流出させる湯水流出部と、を備えた温度調節機能部を有しており、この温度調節機能部が、湯流入部及び水流入部から湯水流出部に向かって下方に傾斜するように水栓本体内に傾斜して配置されている。したがって、水栓本体への給水が停止される水抜き操作を行った後に、手動操作部を手動操作することにより吸気排水弁を開弁させると、温度調節機能部内の残水を排出しやすくすることができる。したがって、温度調節機能部内に水が残されて凍結してしまうことを防ぐことができ、凍結による温度調節機能部の破損を防ぐことができる。
【００１２】
本発明において、好ましくは、更に、上記湯水混合部で混合された湯水を吐出させるシャワーヘッドが先端部に設けられたシャワーホース部と、このシャワーホース部と上記水栓本体とを接続するシャワーホース接続部と、を有し、このシャワーホース接続部は、上記吸気排水弁により開閉される排水部の最低位置よりも上方に位置している。
このように構成された本発明においては、湯水混合部で混合された湯水を吐出させるシャワーヘッドが先端部に設けられたシャワーホース部と、このシャワーホース部と水栓本体とを接続するシャワーホース接続部を有しており、このシャワーホース接続部が吸気排水弁により開閉される排水部の最低位置よりも上方に位置している。したがって、水栓本体への給水が停止される水抜き操作を行った後に、手動操作部を手動操作することにより吸気排水弁を開弁させると、シャワーホース部内からシャワーホース接続部内に流れ込んだ残水を吸気排水弁により開放される排水部から確実に排水することができ、シャワーホース接続部内に水が残されて凍結してしまうことを防ぐことができる。
【００１３】
つぎに、本発明は、給湯源から供給される湯と給水源から供給される水とを混合した湯水を吐止水する湯水混合水栓装置であって、給湯源から供給された湯が通過する通湯路と、給水源から供給された水が通過する通水路と、上記通湯路に設けられて湯の逆流を防止する湯用逆流防止弁と、上記通水路に設けられて水の逆流を防止する水用逆流防止弁と、上記湯用逆流防止弁及び上記水用逆流防止弁よりも下流側に設けられて、上記通湯路から供給された湯の量と上記通水路から供給された水の量を調節して混合することにより湯水の温度調節を行う温度調節機能部と、を備えた水栓本体と、上記水栓本体の下流側に設けられ、上記温度調節機能部で混合された湯水を吐出させるカラン吐水部と、上記水栓本体の下流側に設けられ、上記温度調節機能部で混合された湯水を吐出させるシャワー吐水部と、上記水栓本体の上記温度調節機能部の下流側に設けられ、上記カラン吐水部及び上記シャワー吐水部のそれぞれに湯水を供給する湯水混合路を開閉する開閉弁を備え、上記カラン吐水部からの吐水及び止水、並びに、上記シャワー吐水部からの吐水及び止水を切り替え可能な切替部と、上記水栓本体に設けられ、外気を吸入可能な吸気部と、上記水栓本体に設けられ、上記水栓本体内の残水を排水可能な排水部と、上記吸気部及び上記排水部に手動で開閉可能に設けられ、上記給水源から上記水栓本体への給水が停止される水抜き操作を行った後に手動で開放されることにより、上記吸気部による吸気を可能にすると共に、上記排水部による排水を可能にする吸気排水弁と、この吸気排水弁を手動により開閉操作する手動操作部と、を有し、上記吸気部は、上記水用逆流防止弁よりも上流側の上記通水路である第１の流路に設けられた第１の吸気部と、上記湯用逆流防止弁よりも上流側の上記通湯路である第２の流路に設けられた第２の吸気部と、上記水用逆流防止弁及び上記湯用逆流防止弁のそれぞれから上記開閉弁までの第３の流路に設けられた第３の吸気部と、上記開閉弁から上記カラン吐水部までの第４の流路に設けられた第４の吸気部と、上記開閉弁から上記シャワー吐水部までの第５の流路に設けられた第５の吸気部と、を備え、上記排水部は、上記第３の流路に設けられた第１の排水部と、上記第５の流路に設けられた第２の排水部と、を備えていることを特徴としている。
このように構成された本発明においては、給水源から水栓本体への給水が停止される水抜き操作を行った後に、手動操作部を手動操作することにより吸気排水弁を開弁させると、水用逆流防止弁よりも上流側の通水路である第１の流路に第１の吸気部から吸気されることにより、この第１の流路内の水が通水路の上流側へ排水される。これと同時に、湯用逆流防止弁よりも上流側の通湯路である第２の流路に第２の吸気部から吸気されることにより、この第２の流路内の湯が通湯路の上流側へ排水される。また、これらと同時に、水用逆流防止弁及び湯用逆流防止弁のそれぞれから開閉弁までの第３の流路に第３の吸気部から吸気されることにより、この第３の流路内の湯と水が第１の排水部から水栓本体の外部に排水される。さらに、これらと同時に、開閉弁からカラン吐水部までの第４の流路に第４の吸気部から吸気されることにより、第４の流路内の湯水がカラン吐水部から水栓本体の外部に排水される。さらに、これらと同時に、開閉弁からシャワー吐水部までの第５の流路に第５の吸気部から吸気されることにより、第５の流路内の湯水が第２の排水部から水栓本体の外部に排水される。すなわち、給水源から水栓本体への給水が停止される水抜き操作を行った後に、手動操作部を手動操作することにより吸気排水弁を開弁させるだけで、水栓本体に対して吸気及び排水を同時に効率よく行うことができるため、煩雑な操作を要することなく、簡単に水栓本体内に対して水抜きをすることができる。また、水抜き操作を行った後に吸気排水弁を１回の手動操作により開弁させるだけで、水栓本体に対して吸気及び排水を同時に行うことができるため、効率よく且つ確実に水栓本体内の水抜きを行うことができる。
【００１４】
本発明において、好ましくは、上記第３の流路は、上記水用逆流防止弁から上記温度調節機能部までの第６の流路と、上記湯用逆流防止弁から上記温度調節機能部までの第７の流路と、上記温度調節機能部から上記開閉弁までの第８の流路と、を備え、上記第３の吸気部は、上記第６の流路に設けられた第６の吸気部と、上記第７の流路に設けられた第７の吸気部と、備え、上記第１の排水部は、上記第６の流路に設けられた第３の排水部と、上記第７の流路に設けられた第４の排水部と、上記第８の流路に設けられた第５の排水部と、を備えている。
このように構成された本発明においては、給水源から水栓本体への給水が停止される水抜き操作を行った後に、手動操作部を手動操作することにより吸気排水弁を開弁させると、さらに、水用逆流防止弁から温度調節機能部までの第６の流路に第６の吸気部から吸気されることにより、この第６の流路内の水が第３の排水部から排水される。これと同時に、湯用逆流防止弁から温度調節機能部までの第７の流路に第７の吸気部から吸気されることにより、この第７の流路内の湯が第４の排水部から排水される。また、これらと同時に、温度調節機能部から上記開閉弁までの第８の流路に第８の吸気部から吸気されることにより、この第８の流路内の湯及び水が第５の排水部から排水される。したがって、さらに効率よく且つ確実に水栓本体内の水抜きを行うことができる。
【００１５】
つぎに、本発明は、給湯源から供給される湯と給水源から供給される水とを混合した湯水を吐止水する湯水混合水栓装置であって、給湯源から供給された湯が通過する通湯路と、給水源から供給された水が通過する通水路と、上記通湯路から供給された湯と上記通水路から供給された水とが混合される湯水混合部と、この湯水混合部で混合された湯水が通過する湯水混合路と、を備えた水栓本体と、上記水栓本体の下流側に設けられ、上記湯水混合路を通過した湯水を吐出させる吐水部と、上記水栓本体に設けられ、上記通湯路、上記通水路及び上記湯水混合部を開閉することにより上記吐水部からの吐水及び止水を切り替え可能である共に、上記通湯路及び上記通水路のそれぞれから上記湯水混合部に流入する湯及び水のそれぞれの量を調節する開閉弁と、上記水栓本体に設けられ、上記湯水混合部よりも上流側の上記通水路及び上記通湯路のそれぞれと上記湯水混合部よりも下流側の上記湯水混合路とを連通させる連通部と、この連通部に開閉可能に設けられ、上記給水源から上記水栓本体への給水が停止される水抜き操作を行った後に手動で開放されることにより、上記連通部が開放された状態となり、上記水栓本体内に対して吸気及び排水を行う吸気排水弁と、この吸気排水弁を手動により開閉操作する手動操作部と、を有し、上記連通部は、上記通水路から上記吸気排水弁までの第１の連通部と、上記通湯路から上記吸気排水弁までの第２の連通部と、上記湯水混合路と上記吸気排水弁とを連通させる第３の連通部と、を備え、上記水栓本体における上記吸気排水弁の近傍には、上記第３の連通部から排水された湯水を上記水栓本体の外部に排水する排水部が上記吸気排水弁により開閉可能に設けられ、上記第３の連通部及び上記排水部は、上記水抜き操作を行った後に手動により上記吸気排水弁を開弁させると、上記吐水部から上記湯水混合路に吸気され、上記湯水混合路から上記第３の連通部を経て上記第１の連通部及び上記第２の連通部のそれぞれに吸気され、上記湯水混合路内の湯水が上記第３の連通部を経て上記排水部から上記水栓本体の外部に排水されるように構成されていることを特徴としている。
このように構成された本発明においては、水栓本体に設けられ、湯水混合部よりも上流側の通水路及び通湯路のそれぞれと湯水混合部よりも下流側の湯水混合路とを連通させる連通部と、この連通部に開閉可能に設けられ、給水源から水栓本体への給水が停止される水抜き操作を行った後に手動で開放されることにより、連通部が開放された状態となり、水栓本体内に対して吸気及び排水を行う吸気排水弁と、この吸気排水弁を手動により開閉操作する手動操作部と、を有しているため、水抜き操作を行った後に、手動操作部を手動操作することにより吸気排水弁を開弁させると、吐水部から湯水混合路に吸気され、湯水混合路から第３の連通部を経て排水部に吸気されることにより、湯水混合路内の湯水が第３の連通部を経て排水部から水栓本体の外部に排水される。すなわち、給水源から水栓本体への給水が停止される水抜き操作を行った後に、手動で吸気排水弁を開弁させると、水栓本体に対して吸気及び排水を同時に効率よく行うことができるため、煩雑な操作を要することなく、簡単に水栓本体内に対して水抜きをすることができる。また、水抜き操作を行った後に吸気排水弁を１回の手動操作により開弁させるだけで、水栓本体に対して吸気及び排水を同時に行うことができるため、効率よく水栓本体内の水抜きを行うことができる。
【００１６】
つぎに、本発明は、給湯源から供給される湯と給水源から供給される水とを混合した湯水を吐止水する湯水混合水栓装置であって、給湯源から供給された湯が通過する通湯路と、給水源から供給された水が通過する通水路と、上記通湯路から供給された湯と上記通水路から供給された水とが混合される湯水混合部と、この湯水混合部で混合された湯水が通過する湯水混合路と、を備えた水栓本体と、上記水栓本体の下流側に設けられ、上記湯水混合路を通過した湯水を吐出させる吐水部と、上記水栓本体に設けられ、上記通湯路、上記通水路及び上記湯水混合部を開閉することにより上記吐水部からの吐水及び止水を切り替え可能である共に、上記通湯路及び上記通水路のそれぞれから上記湯水混合部に流入する湯及び水のそれぞれの量を調節する開閉弁と、上記水栓本体に設けられ、上記湯水混合部よりも上流側の上記通水路及び上記通湯路のそれぞれと上記湯水混合部よりも下流側の上記湯水混合路とを連通させる連通部と、この連通部に開閉可能に設けられ、上記給水源から上記水栓本体への給水が停止される水抜き操作を行った後に手動で開放されることにより、上記連通部が開放された状態となり、上記水栓本体内に対して吸気及び排水を行う吸気排水弁と、この吸気排水弁を手動により開閉操作する手動操作部と、を有し、上記連通部は、上記通水路から上記吸気排水弁までの第１の連通部と、上記通湯路から上記吸気排水弁までの第２の連通部と、上記湯水混合路と上記吸気排水弁とを連通させる第３の連通部と、を備え、上記水抜き操作を行った後に手動により上記吸気排水弁を開弁させると、上記吐水部から上記湯水混合路に吸気され、上記湯水混合路から上記第３の連通部を経て上記第１の連通部及び上記第２の連通部のそれぞれに吸気され、上記湯水混合路内の湯水が上記第３の連通部を経て上記第１の連通部及び上記第２の連通部のそれぞれから上記通水路及び上記通湯路のそれぞれに排水されるように構成されていることを特徴としている。
このように構成された本発明においては、水栓本体に設けられ、湯水混合部よりも上流側の通水路及び通湯路のそれぞれと湯水混合部よりも下流側の湯水混合路とを連通させる連通部と、この連通部に開閉可能に設けられ、給水源から水栓本体への給水が停止される水抜き操作を行った後に手動で開放されることにより、連通部が開放された状態となり、水栓本体内に対して吸気及び排水を行う吸気排水弁と、この吸気排水弁を手動により開閉操作する手動操作部と、を有しており、連通部が、通水路から吸気排水弁までの第１の連通部と、通湯路から吸気排水弁までの第２の連通部と、湯水混合路と吸気排水弁とを連通させる第３の連通部と、を備えているため、水抜き操作を行った後に、手動操作部を手動操作することにより吸気排水弁を開弁させると、吐水部から湯水混合路に吸気され、湯水混合路から第３の連通部を経て第１の連通部及び第２の連通部のそれぞれに吸気されることにより、湯水混合路内の湯水が第３の連通部を経て第１の連通部及び第２の連通部のそれぞれから通水路及び通湯路のそれぞれに排水される。すなわち、給水源から水栓本体への給水が停止される水抜き操作を行った後に、手動で吸気排水弁を開弁させると、水栓本体に対して吸気及び排水を同時に効率よく行うことができるため、煩雑な操作を要することなく、簡単に水栓本体内に対して水抜きをすることができる。また、水抜き操作を行った後に吸気排水弁を１回の手動操作により開弁させるだけで、水栓本体に対して吸気及び排水を同時に行うことができるため、効率よく且つ確実に水栓本体内の水抜きを行うことができる。
【００１７】
本発明において、好ましくは、更に、上記水栓本体における上記吸気排水弁の近傍に上記吸気排水弁により開閉可能に設けられて、上記第３の連通部から排水された湯水を上記水栓本体の外部に排水する排水部を有する。
このように構成された本発明においては、水抜き操作を行った後に、手動操作部を手動操作することにより吸気排水弁を開弁させた際に、水栓本体における吸気排水弁の近傍に吸気排水弁により開閉可能に設けられた排水部によって、第３の連通部から排水された湯水を水栓本体の外部に排水することもできるため、より効率よく且つ確実に水栓本体内の水抜きを行うことができる。
【発明の効果】
【００１８】
本発明の湯水混合水栓装置によれば、煩雑な操作を要することなく、簡単に水抜きをすることができる。
【図面の簡単な説明】
【００１９】
【図１】本発明の第１実施形態による湯水混合水栓装置を示す概略図である。
【図２】本発明の第１実施形態による湯水混合水栓装置を斜め上方且つ前方から見た斜視図である。
【図３】図２のＩＩＩ−ＩＩＩ線に沿った斜視断面図である。
【図４】図２のＩＶ−ＩＶ線に沿った斜視断面図である。
【図５】図２のＶ−Ｖ線に沿った断面図である。
【図６】図２のＶＩ−ＶＩ線に沿った斜視断面図である。
【図７】本発明の第１実施形態による湯水混合水栓装置の水栓本体及び吸気排水弁ユニットの分解斜視図である。
【図８】図２のＶＩＩＩ−ＶＩＩＩ線に沿った断面図であり、本発明の第１実施形態による湯水混合水栓装置の閉弁状態の吸気排水弁ユニットを部分的に拡大して示す部分拡大断面図である。
【図９】本発明の第２実施形態による湯水混合水栓装置を斜め後方から見た斜視図である。
【図１０】図９のＸ−Ｘ線に沿った断面図であり、本発明の第２実施形態による湯水混合水栓装置における通湯路及び通水路の正面断面を含む正面断面図である。
【図１１】図１０のＸＩ−ＸＩ線に沿った断面図であり、本発明の第２実施形態による湯水混合水栓装置における通水路の右側側面断面を含む側面断面図である。
【図１２】図１０のＸＩＩ−ＸＩＩ線に沿った断面図であり、本発明の第２実施形態による湯水混合水栓装置における中央側面断面図である。
【図１３】図１０のＸＩＩＩ−ＸＩＩＩ線に沿った断面図であり、本発明の第２実施形態による湯水混合水栓装置におけるバルブユニットの平面断面を含む平面断面図である。
【図１４】本発明の第２実施形態による湯水混合水栓装置の吸気排水弁ユニットの分解斜視図である。
【図１５】図１１に示す本発明の第２実施形態による湯水混合水栓装置の吸気排水弁ユニットを部分的に拡大して示す部分拡大断面図である。
【図１６】図１２に示す本発明の第２実施形態による湯水混合水栓装置の吸気排水弁ユニットを部分的に拡大して示す部分拡大断面図である。
【図１７】本発明の第３実施形態による湯水混合水栓装置における通水路の右側側面断面に沿った側面断面図である。
【図１８】従来の温度調節機能付きの湯水混合水栓装置を示す概略図である。
【発明を実施するための形態】
【００２０】
つぎに、添付図面を参照して、本発明の好ましい実施形態について説明する。
まず、図１〜図８を参照して、本発明の第１実施形態による湯水混合水栓装置について説明する。
図１は、本発明の第１実施形態による湯水混合水栓装置を示す概略図であり、図２は、本発明の第１実施形態による湯水混合水栓装置を示す斜視図である。また、図３は、図２のＩＩＩ−ＩＩＩ線に沿った斜視断面図であり、図４は、図２のＩＶ−ＩＶ線に沿った斜視断面図である。さらに、図５は、図２のＶ−Ｖ線に沿った断面図であり、図６は、図２のＶＩ−ＶＩ線に沿った斜視断面図である。
【００２１】
まず、図１及び図２に示すように、本発明の第１実施形態による湯水混合水栓装置１は、水栓本体２を備えており、この水栓本体２の背面側には、給湯源である給湯器（図示せず）からの湯を供給する湯供給脚４と、水栓本体２に上水道等の給水源（図示せず）からの水道水を供給する水供給脚６がそれぞれ設けられている。
また、湯供給脚４は、壁面に設けられた給湯管（図示せず）と水栓本体２とを連結し、水栓本体２に湯を供給するようになっている。
さらに、水供給脚６は、壁面に設けられた水道管（図示せず）と水栓本体２とを連結し、水栓本体２に水を供給するようになっている。また、この水供給脚６の上流側の流路には、寒冷地等において湯水混合水栓装置１に対して水抜きを行う際に操作される水抜き栓（図示せず）が設けられている。
【００２２】
つぎに、図１に示すように、水栓本体２内には、湯供給脚４から供給された湯が通過する通湯路８と、水供給脚６から供給された水が通過する通水路１０がそれぞれ形成されている。
また、図１〜図４及び図６に示すように、通湯路８及び通水路１０のそれぞれには、湯用逆流防止弁１２及び水用逆流防止弁１４のそれぞれが設けられており、湯用逆流防止弁１２により湯用逆流防止弁１２の下流側の湯が湯供給脚４側に逆流することを防ぐと共に、水用逆流防止弁１４により水用逆流防止弁１４の下流側の水が水供給脚６側に逆流することを防ぐことができるようになっている。
【００２３】
つぎに、図１〜図３及び図５に示すように、水栓本体２内の通湯路８及び通水路１０の上流側には、通湯路８から供給された湯の量と通水路１０から供給された水の量を調節して混合する湯水混合部であり且つ混合した湯水の温度調節を行う温度調節機能部であるサーモユニット１６が設けられている。
また、図１及び図２に示すように、水栓本体２の下流側には、サーモユニット１６により温度調節された湯水を吐出させるカラン１８及びシャワーヘッド２０がそれぞれ設けられている。
【００２４】
さらに、図１〜図３及び図５に示すように、水栓本体２内のサーモユニット１６の下流側には、カラン１８からの吐水及び止水、並びに、シャワーヘッド２０からの吐水及び止水を切り替え可能な切替部である切替ユニット２２が設けられている。この切替ユニット２２は、サーモユニット１６で混合されて温度調節された湯水が通過する湯水混合路２４を開閉する開閉弁である切替バルブ２６を備えており、この切替バルブ２６の開閉により、カラン１８からの吐水及び止水、並びに、シャワーヘッド２０からの吐水及び止水が切り替えられるようになっている。
また、図１〜図５に示すように、水栓本体２の正面側から見てサーモユニット１６の左端部には、取り付けられた湯温調節用ダイヤル２８が設けられており、水栓本体２の正面側から見て切替ユニット２２の右端部には、吐止水切替ハンドル３０が設けられている。
【００２５】
湯温調節用ダイヤル２８は、これを廻すことによって水栓本体２に内蔵されたサーモユニット１６を操作し、このサーモユニット１６によって調節される湯の温度を変化させることができるようになっている。
吐止水切替ハンドル３０は、これを回転操作することによって、切替ユニット２２に内蔵された切替バルブ２６を切り替え、止水状態、カラン１８からの吐水状態、シャワーヘッド２０からの吐水状態が切り替えられるようになっている。
また、吐止水切替ハンドル３０をカランの側に回転させると、サーモユニット１６によって適温に混合された湯水がカラン１８から吐水され、吐止水切替ハンドル３０をシャワーの側に回転させると、適温に混合された湯水が、シャワーヘッド２０から吐水されるようになっている。
【００２６】
さらに、図１〜図３に示すように、水栓本体２の背面側には、手動操作により開閉する吸気排水弁本体３２を備えた吸気排水弁ユニット３４（詳細は後述する）が設けられている。
水供給脚６の上流側の水抜き栓（図示せず）が水抜き側に操作されると、給水源（図示せず）から水栓本体２への給水が停止された後、吸気排水弁ユニット３４の手動操作部材５８を手動操作することにより吸気排水弁本体３２を開弁させると、吸気排水弁ユニット３４により開放される吸気部Ｉ（詳細は後述する）から水栓本体２内の複数の流路に対して外気が吸気されると共に、この水栓本体２内の複数の流路内の湯及び／又は水が、吸気排水弁ユニット３４により開放される排水部Ｏ（詳細は後述する）から水栓本体２の外部に排水されるようになっている。
なお、本実施形態では、使用者が手指等により手動操作部材５８を操作する手動操作について説明するが、このような手動操作に限られない。
すなわち、以下、本発明のすべての実施形態の説明において用いられている「手動操作」という記載は、使用者等の人の意思をトリガーとする操作を意味しており、使用者が手指等により手動操作部材５８を操作する操作以外にも、例えば、使用者が手指等によりリモートコントローラーのスイッチを操作することによって送信される信号を受信し、モーター等が駆動することによって吸気排水弁本体３２を開閉させるような操作等も含む。
【００２７】
つぎに、図１〜図８を参照して、本実施形態の湯水混合水栓装置における吸気排水弁ユニット、吸気排水弁ユニットにより吸気される吸気部、及び、吸気排水弁ユニットにより排水される排水部の詳細について説明する。
図７は、本発明の第１実施形態による湯水混合水栓装置の水栓本体及び吸気排水弁ユニットの分解斜視図であり、図８は、図２のＶＩＩＩ−ＶＩＩＩ線に沿った断面図であり、本発明の第１実施形態による湯水混合水栓装置の閉弁状態の吸気排水弁ユニットを部分的に拡大して示す部分拡大断面図である。
【００２８】
まず、図７及び図８に示すように、吸気排水弁ユニット３４の吸気排水弁本体３２は、水栓本体２の背面側に設けられた吸気排水弁ユニット取付部Ａに形成される、吸気部Ｉの６つの連通口（吸気口）３６，３８，４０，４２，４４，４６及び排水部Ｏの４つの連通口（排水口）４８，５０，５２，５４に対して同時に開閉する弁体５６を備えている。
また、吸気排水弁ユニット３４は、弁体５６の背面側に固定され且つ手動操作することにより弁体５６を開閉操作する手動操作部材５８を備えている。
なお、図８に示す弁体５６においては、弁体５６の前面５６ａが水栓本体２の背面（シート面）６０に当接した閉弁状態の弁体５６を示している。
さらに、手動操作部材５８は、弁体５６の背面に固定されて弁体５６を保持する弁体保持部５８ａと、この弁体保持部５８ａの背面の中心から後方側に所定長さ延びるように形成された回動軸部５８ｂと、この回動軸部５８ｂの後端面に固定されたつまみ部５８ｃを備えている。また、回動軸部５８ｂの外周面には、雄ねじ５８ｄが形成されている。
【００２９】
さらに、図７及び図８に示すように、吸気排水弁ユニット３４は、弁体５６の背面側に取り付けられて弁体５６及び手動操作部材５８を保持する保持部材６２を備えている。この保持部材６２は、これと対向する水栓本体２の背面６０にボルト６４によって固定されている。
また、図８に示すように、保持部材６２には、前後方向に貫く雌ねじ穴６２ａが形成されており、この雌ねじ穴６２ａは、手動操作部材５８の回動軸部５８ｂが挿入されて且つ回動軸部５８ｂの雄ねじ５８ｄと螺合している。使用者が手動操作部材５８のつまみ部５８ｃを指でつまんで、手動操作部材５８の長手方向の中心軸線Ｌ１回りに回転させると、手動操作部材５８の回動軸部５８ｂが回動し、手動操作部材５８が保持部材６２に対して前後方向に摺動することにより、手動操作部材５８の弁体保持部５８ａに固定されている弁体５６を前後方向に移動させて開閉させることができるようになっている。
【００３０】
さらに、図８に示すように、保持部材６２の前方側には、手動操作部材５８の弁体保持部５８ａが前後方向に摺動可能にする作動室６６が形成されている。
手動操作部材５８のつまみ部５８ｃを長手方向の中心軸線Ｌ１回りに回転させることにより弁体５６を後方側に摺動させる場合、手動操作部材５８の弁体保持部５８ａの背面５８ｅが、これと前後方向に対応する作動室６６内の奥行面６６ａに当接するまで、手動操作部材５８が中心軸線Ｌ１回りに回動可能であり、且つ、中心軸線Ｌ１に沿って後方側に摺動可能となっている。
一方、手動操作部材５８のつまみ部５８ｃを長手方向の中心軸線Ｌ１回りに回転させることにより弁体５６を前方側に摺動させる場合、弁体５６の前面（シール面）５６ａが、吸気排水弁ユニット取付部Ａの水栓本体２の背面（シート面）６０に当接するまで、手動操作部材５８が中心軸線Ｌ１回りに回動可能であり、且つ、中心軸線Ｌ１に沿って前方側に摺動可能となっている。
【００３１】
なお、図８に示す符号Ｐ１は、最も開弁している状態の弁体５６の前面５６ａの位置を示しており、弁体５６が開弁すると、弁体５６の前面５６ａと水栓本体２の背面（シート面）６０との間には、図７に示す水栓本体２の背面６０の吸気部Ｉの６つの連通口（吸気口）３６，３８，４０，４２，４４，４６及び排水部Ｏの４つの連通口（排水口）４８，５０，５２，５４のそれぞれと連通する連通室Ｓ１が形成されるようになっている。
【００３２】
つぎに、図１、図４及び図６に示すように、水栓本体２内には、水用逆流防止弁１４よりも上流側の通水路１０ａと水栓本体２の背面の連通口３６とを連通させる連通路６８が吸気排水弁ユニット３４により吸気される吸気部Ｉの一部として設けられており、水供給脚６から水栓本体２の水用逆流防止弁１４よりも上流側の通水路１０ａに供給された水の一部は、連通路６８を通過するようになっている。
【００３３】
つぎに、図４、図７及び図８に示すように、水栓本体２の吸気排水弁ユニット取付部Ａにおける弁体５６の上側近傍には、保持部材６２を前後方向に貫く通気穴６２ｂと連通する連通路（吸気路）７４が、吸気排水弁ユニット３４により吸気される吸気部Ｉの一部として形成されている。吸気排水弁ユニット３４の弁体５６が開弁している状態では、この連通路（吸気路）７４及び保持部材６２の通気穴６２ｂを介して、弁体５６の前方側の連通室Ｓ１と水栓本体２の外部とが連通するようになっている。
さらに、図４、図７及び図８に示すように、弁体５６の下側近傍には、吸気排水弁ユニット３４の弁体５６が開弁している状態で弁体５６の前方側の連通室Ｓ１と水栓本体２の外部とを連通させる３つの連通路（排水路）７６，７８，８０が吸気排水弁ユニット３４により排水される排水部Ｏの一部として形成されている。
【００３４】
また、図７及び図８に示すように、水供給脚６の上流側の水抜き栓（図示せず）が水抜き側に操作され、給水源（図示せず）からの給水が停止された後、吸気排水弁ユニット３４の手動操作部材５８を中心軸線Ｌ１回りに手動で回転操作し、吸気排水弁本体３２の弁体５６を開弁操作すると、水栓本体２の背面６０の６つの各連通口（吸気口）３６，３８，４０，４２，４４，４６と４つの各連通口（排水口）４８，５０，５２，５４が同時に開放されるようになっている。このとき、水供給脚６の上流側の流路内の水圧が低下し、大気圧以下となることにより負圧が発生し、この負圧によって、水栓本体２の水用逆流防止弁１４よりも上流側の通水路１０ａ内の水が水供給脚６内を通じて水供給脚６の上流側へ排出されるようになっている。
さらに、水栓本体２の上流側の流路内の圧力が大気圧以下になっているため、弁体５６の上側近傍の連通路（吸気路）７４等から弁体５６の前方側の連通室Ｓ１内に外気が吸気された後、連通室Ｓ１から水栓本体２の背面６０の吸気部Ｉの６つの各連通口（吸気口）３６，３８，４０，４２，４４，４６から水栓本体２内に吸気されるようになっている。これにより、水栓本体２内の残水が背面６０の排気部Ｏの４つの各連通口（排水口）４８，５０，５２，５４から連通室Ｓ１内に排水された後、連通室Ｓ１と弁体５６の下側近傍の連通路（排水路）７６，７８，８０等から水栓本体２の外部に排水されるようになっている。
【００３５】
つぎに、図１、図３、図４、及び図６〜図８を参照して、吸気排水弁ユニット３４により吸気される吸気部Ｉ、及び吸気排水弁ユニット３４により排水される排水部Ｏの詳細について説明する。
まず、図１、図３、図４、図６及び図７に示すように、吸気部Ｉの連通口３６は、水栓本体２内の水用逆流防止弁１４よりも上流側の通水路１０ａと連通路（吸気路）６８を介して連通している。
水供給脚６の上流側の水抜き栓（図示せず）が水抜き側に操作された後に、手動操作部材５８を手動操作することにより、吸気排水弁ユニット３４の弁体５６が開弁すると、連通口３６が第１の吸気口３６となり、この第１の吸気口３６から連通路（吸気路）６８を介して水用逆流防止弁１４よりも上流側の通水路１０ａに吸気され、この水用逆流防止弁１４よりも上流側の通水路１０ａ及び水供給脚６内の水が水供給脚６の上流側へ排水されるようになっている。
【００３６】
つぎに、図１、図３、図４及び図７に示すように、吸気部Ｉの第２の吸気口３８は、水栓本体２内の湯用逆流防止弁１２よりも上流側の通湯路８ａと連通路（吸気路）８２を介して連通している。
水栓本体２への給水が停止される水抜き操作を行った後に、手動操作部材５８を手動操作することにより吸気排水弁ユニット３４の弁体５６が開弁すると、第２の吸気口３８から連通路（吸気路）８２を介して湯用逆流防止弁１２よりも上流側の通湯路８ａに吸気され、この湯用逆流防止弁１２よりも上流側の通湯路８ａ及び湯供給脚４内の湯が湯供給脚４の上流側へ排水されるようになっている。
【００３７】
つぎに、図１、図３、図４、図６及び図７に示すように、吸気部Ｉの第３の吸気口４０は、水栓本体２内の水用逆流防止弁１４からサーモユニット１６までの通水路１０ｂと連通路（吸気路）８４を介して連通している。
一方、排水部Ｏの第１の排水口４８は、水栓本体２内の水用逆流防止弁１４からサーモユニット１６までの通水路１０ｂと連通路（排水路）８６を介して連通している。
水栓本体２への給水が停止される水抜き操作を行った後に、手動操作部材５８を手動操作することにより吸気排水弁ユニット３４の弁体５６が開弁すると、第３の吸気口４０から連通路（吸気路）８４を介して水用逆流防止弁１４からサーモユニット１６までの通水路１０ｂに吸気されるようになっている。
同時に、水用逆流防止弁１４からサーモユニット１６までの通水路１０ｂ内の残水が、図４及び図６に示すように、連通路（排水路）８６を経て第１の排水口４８から下方の連通路（排水路）７６，７８，８０に排出され、この連通路（排水路）７６，７８，８０から水栓本体２の外部へ排水されるようになっている。
【００３８】
つぎに、図１、図３、図４、図６及び図７に示すように、吸気部Ｉの第４の吸気口４２は、水栓本体２内の湯用逆流防止弁１２からサーモユニット１６までの通湯路８ｂと連通路（吸気路）８８を介して連通している。
一方、排水部Ｏの第２の排水口５０は、水栓本体２内の湯用逆流防止弁１２からサーモユニット１６までの通湯路８ｂと連通路（排水路）９０を介して連通している。
水栓本体２への給水が停止される水抜き操作を行った後に、手動操作部材５８を手動操作することにより吸気排水弁ユニット３４の弁体５６が開弁すると、第４の吸気口４２から連通路８８を介して湯用逆流防止弁１２からサーモユニット１６までの通湯路８ｂに吸気されるようになっている。
同時に、湯用逆流防止弁１２からサーモユニット１６までの通湯路８ｂ内の残湯が、図４及び図６に示すように、連通路（排水路）９０を経て第２の排水口５０から下方の連通路（排水路）７６，７８，８０に排出され、この連通路（排水路）７６，７８，８０から水栓本体２の外部へ排水されるようになっている。
【００３９】
つぎに、図１及び図５に示すように、サーモユニット１６は、その上流側の通湯路８ｂの湯が流入する湯流入部１６ａと、サーモユニット１６の上流側の通水路１０ｂの水が流入する水流入部１６ｂと、これらの湯流入部１６ａ及び水流入部１６ｂのそれぞれから流入する湯及び水の量を調節して混合することにより温度調節した湯水を流出させる湯水流出部１６ｃを備えており、湯流入部１６ａ及び水流入部１６ｂから湯水流出部１６ｃに向かって下方に傾斜するように水栓本体２内に傾斜して配置されている。
また、図１、図４、図６及び図７に示すように、排水部Ｏの第３の排水口５２は、連通路（排水路）９２を介して、サーモユニット１６の湯流入部１６ａ及び水流入部１６ｂのそれぞれから切替ユニット２２の切替バルブ２６までの湯水混合路２４と連通している。
水栓本体２への給水が停止される水抜き操作を行った後に、手動操作部材５８を手動操作することにより吸気排水弁ユニット３４の弁体５６が開弁すると、第３の吸気口４０から連通路（吸気路）８４を介して水用逆流防止弁１４からサーモユニット１６までの通水路１０ｂに吸気されると共に、第４の吸気口４２から連通路８８を介して湯用逆流防止弁１２からサーモユニット１６までの通湯路８ｂに吸気され、これらの吸気された外気がサーモユニット１６の湯流入部１６ａ及び水流入部１６ｂのそれぞれからサーモユニット１６内に流入した後、切替ユニット２２の切替バルブ２６までの湯水混合路２４に流入するようになっている。
同時に、サーモユニット１６の湯流入部１６ａ及び水流入部１６ｂのそれぞれから切替ユニット２２の切替バルブ２６までの湯水混合路２４内に残された湯水が、連通路（排水路）９２を経て第３の排水口５２から下方の連通路（排水路）７６，７８，８０に排出され、この連通路（排水路）７６，７８，８０から水栓本体２の外部へ排水されるようになっている。
【００４０】
つぎに、図１、図３、図４及び図７に示すように、吸気部Ｉの第５の吸気口４４は、切替ユニット２２の切替バルブ２６からカラン１８までの流路９４と連通路（吸気路）９６を介して連通している。
水栓本体２への給水が停止される水抜き操作を行った後に、手動操作部材５８を手動操作することにより吸気排水弁ユニット３４の弁体５６が開弁すると、第５の吸気口４４から連通路（吸気路）９６を介して、切替ユニット２２の切替バルブ２６からカラン１８までの流路９４に吸気されるようになっている。
同時に、切替ユニット２２の切替バルブ２６からカラン１８までの流路９４内に残された湯水が、カラン１８から水栓本体２の外部へ排水されるようになっている。
【００４１】
つぎに、図６に示すように、水栓本体２において、正面側から見て吐止水切替ハンドル３０の後方且つ下方の右側端部には、先端部にシャワーヘッド２０が設けられたシャワーホース２０ａを接続する接続部材９８が取り付けられている。
また、図１、図３、図４、図６及び図７に示すように、吸気部Ｉの第６の吸気口４６は、切替ユニット２２の切替バルブ２６から接続部材９８を経てシャワーヘッド２０までの流路１００と、連通路（吸気路）１０２を介して連通している。
一方、排水部Ｏの第４の排水口５４は、切替ユニット２２の切替バルブ２６から接続部材９８を経てシャワーヘッド２０までの流路１００と、連通路（排水路）１０４を介して連通している。
さらに、図６に示すように、シャワーホース接続部材９８の内部に形成されている流路１００は、排水部Ｏの第４の排水口５４及び連通路（排水路）１０４よりも上方に位置しており、排水部Ｏの最低位置よりも上方に位置している。
【００４２】
図１、図３、図４、図６及び図７に示すように、シャワーヘッド２０の吐水口（図示せず）が水栓本体２よりも上方に位置している場合には、水栓本体２への給水が停止される水抜き操作を行った後に、手動操作部材５８を手動操作することにより吸気排水弁ユニット３４の弁体５６が開弁すると、シャワーヘッド２０の吐水口（図示せず）から流路１００内に吸気されると共に、第６の吸気口４６から連通路（吸気路）１０２を介して、切替ユニット２２の切替バルブ２６からシャワーヘッド２０までの流路１００に吸気されるようになっている。
同時に、切替ユニット２２の切替バルブ２６からシャワーヘッド２０までの流路１００内に残された湯水が、連通路（排水路）１０４を経て第４の排水口５４から下方の連通路（排水路）７６，７８，８０に排出され、この連通路（排水路）７６，７８，８０から水栓本体２の外部へ排水されるようになっている。
一方、シャワーヘッド２０の吐水口（図示せず）が水栓本体２よりも下方に位置している場合には、水栓本体２への給水が停止される水抜き操作を行った後に、手動操作部材５８を手動操作することにより吸気排水弁ユニット３４の弁体５６が開弁すると、第６の吸気口４６から連通路（吸気路）１０２を介して、切替ユニット２２の切替バルブ２６からシャワーヘッド２０までの流路１００に吸気されるようになっている。
同時に、切替ユニット２２の切替バルブ２６からシャワーヘッド２０までの流路１００内に残された湯水が、連通路（排水路）１０４を経て第４の排水口５４から下方の連通路（排水路）７６，７８，８０に排出され、この連通路（排水路）７６，７８，８０から水栓本体２の外部へ排水されるようになっている。このとき、シャワーヘッド２０の吐水口（図示せず）を床置きした状態や下向きに配置した状態では、シャワーヘッド２０の吐水口（図示せず）からも残水が排水されるようになっている。
【００４３】
なお、本実施形態においては、水用逆流防止弁１４からサーモユニット１６までの通水路１０ｂと、サーモユニット１６の湯流入部１６ａ及び水流入部１６ｂのそれぞれから切替ユニット２２の切替バルブ２６までの湯水混合路２４とが、互いに構造的に連通しており、湯用逆流防止弁１２からサーモユニット１６までの通湯路８ｂと、サーモユニット１６の湯流入部１６ａ及び水流入部１６ｂのそれぞれから切替ユニット２２の切替バルブ２６までの湯水混合路２４とについても、互いに構造的に連通しているため、水用逆流防止弁１４からサーモユニット１６までの通水路１０ｂを吸気するための第３の吸気口４０及び連通路（吸気路）８４を省略した場合、或いは、湯用逆流防止弁１２からサーモユニット１６までの通湯路８ｂを吸気するための第４の吸気口４２及び連通路（吸気路）８８を省略した場合であっても、サーモユニット１６の湯流入部１６ａ及び水流入部１６ｂのそれぞれから切替ユニット２２の切替バルブ２６までの湯水混合路２４に対して十分に吸気することができるため、第３の吸気口４０及び連通路（吸気路）８４、又は、第４の吸気口４２及び連通路（吸気路）８８のいずれか一方については省略してもよい。
また、水用逆流防止弁１４からサーモユニット１６までの通水路１０ｂと、サーモユニット１６の湯流入部１６ａ及び水流入部１６ｂのそれぞれから切替ユニット２２の切替バルブ２６までの湯水混合路２４とが、互いに構造的に連通しており、湯用逆流防止弁１２からサーモユニット１６までの通湯路８ｂと、サーモユニット１６の湯流入部１６ａ及び水流入部１６ｂのそれぞれから切替ユニット２２の切替バルブ２６までの湯水混合路２４とについても、互いに構造的に連通している。したがって、水用逆流防止弁１４からサーモユニット１６までの通水路１０ｂ内の残水を排水するための第１の排水口４８及び連通路（排水路）８６が少なくとも設けられているか、或いは、湯用逆流防止弁１２からサーモユニット１６までの通湯路８ｂ内の残湯を排水するための第２の排水口５０及び連通路（排水路）９０が少なくとも設けられているか、或いは、サーモユニット１６の湯流入部１６ａ及び水流入部１６ｂのそれぞれから切替ユニット２２の切替バルブ２６までの湯水混合路２４内に残された湯水を排水するための第３の排水口５２及び連通路（排水路）９２が少なくとも設けられていればよい。
【００４４】
上述した本発明の第１実施形態による湯水混合水栓装置１によれば、水供給脚６の上流側の水抜き栓（図示せず）が水抜き側に操作され、給水源（図示せず）からの給水が停止された後に、手動操作部材５８を手動操作することにより吸気排水弁ユニット３４の弁体５６が開弁すると、水栓本体２の背面６０の吸気部Ｉの６つの各連通口（吸気口）３６，３８，４０，４２，４４，４６と排水部Ｏの４つの各連通口（排水口）４８，５０，５２，５４が同時に開放される。
このとき、水供給脚６の上流側の流路内では、水圧が低下し、大気圧以下となることにより負圧が発生し、この負圧によって、水栓本体２の水用逆流防止弁１４よりも上流側の通水路１０内の水が水供給脚６内を通じて水供給脚６の上流側へ排出される。
同時に、弁体５６の上側近傍の連通路（吸気路）７４等から弁体５６の前方側の連通室Ｓ１内に外気が吸気された後、連通室Ｓ１から水栓本体２の背面６０の吸気部Ｉの６つの各連通口（吸気口）３６，３８，４０，４２，４４，４６から水栓本体２内に吸気されることにより、水栓本体２内の残水が背面６０の排水部Ｏの４つの各連通口（排水口）４８，５０，５２，５４から連通室Ｓ１内に排水された後、連通室Ｓ１と弁体５６の下側近傍の連通路（排水路）７６，７８，８０等から水栓本体２の外部に排水される。
【００４５】
さらに具体的に説明すると、水栓本体２への給水が停止される水抜き操作を行った後に、手動操作部材５８を手動操作することにより吸気排水弁ユニット３４の弁体５６が開弁すると、第１の吸気口３６から連通路（吸気路）６８を介して水用逆流防止弁１４よりも上流側の通水路１０ａに吸気され、この水用逆流防止弁１４よりも上流側の通水路１０ａ及び水供給脚６内の水が水供給脚６の上流側へ排水される。
同時に、第２の吸気口３８から連通路（吸気路）８２を介して湯用逆流防止弁１２よりも上流側の通湯路８ａに吸気され、この湯用逆流防止弁１２よりも上流側の通湯路８ａ及び湯供給脚４内の湯が湯供給脚４の上流側へ排水される。
さらに、同時に、第３の吸気口４０から連通路（吸気路）８４を介して水用逆流防止弁１４からサーモユニット１６までの通水路１０ｂに吸気されることにより、水用逆流防止弁１４からサーモユニット１６までの通水路１０ｂ内の残水が、図４及び図６に示すように、連通路（排水路）８６を経て第１の排水口４８から下方の連通路（排水路）７６，７８，８０に排出され、この連通路（排水路）７６，７８，８０から水栓本体２の外部へ排水される。
さらに、同時に、第４の吸気口４２から連通路８８を介して湯用逆流防止弁１２からサーモユニット１６までの通湯路８ｂに吸気されることにより、湯用逆流防止弁１２からサーモユニット１６までの通湯路８ｂ内の残湯が、図４及び図６に示すように、連通路（排水路）９０を経て第２の排水口５０から下方の連通路（排水路）７６，７８，８０に排出され、この連通路（排水路）７６，７８，８０から水栓本体２の外部へ排水される。
さらに、同時に、第３の吸気口４０から連通路（吸気路）８４を介して水用逆流防止弁１４からサーモユニット１６までの通水路１０ｂに吸気された外気と、第４の吸気口４２から連通路８８を介して湯用逆流防止弁１２からサーモユニット１６までの通湯路８ｂに吸気された外気が、サーモユニット１６の湯流入部１６ａ及び水流入部１６ｂのそれぞれからサーモユニット１６内に流入した後、切替ユニット２２の切替バルブ２６までの湯水混合路２４に流入し、切替ユニット２２の切替バルブ２６までの湯水混合路２４内に残された湯水が、連通路（排水路）９２を経て第３の排水口５２から下方の連通路（排水路）７６，７８，８０に排出され、この連通路（排水路）７６，７８，８０から水栓本体２の外部へ排水される。
さらに、同時に、第５の吸気口４４から連通路（吸気路）９６を介して、切替ユニット２２の切替バルブ２６からカラン１８までの流路９４に吸気されることにより、切替ユニット２２の切替バルブ２６からカラン１８までの流路９４内に残された湯水が、カラン１８から水栓本体２の外部へ排水される。
さらに、同時に、シャワーヘッド２０の吐水口（図示せず）が水栓本体２よりも上方に位置している場合には、シャワーヘッド２０の吐水口（図示せず）から流路１００内に吸気されると共に、第６の吸気口４６から連通路（吸気路）１０２を介して、切替ユニット２２の切替バルブ２６からシャワーヘッド２０までの流路１００に吸気されることにより、切替ユニット２２の切替バルブ２６からシャワーヘッド２０までの流路１００内に残された湯水が、連通路（排水路）１０４を経て第４の排水口５４から下方の連通路（排水路）７６，７８，８０に排出され、この連通路（排水路）７６，７８，８０から水栓本体２の外部へ排水される。
一方、シャワーヘッド２０の吐水口（図示せず）が水栓本体２よりも下方に位置している場合には、第６の吸気口４６から連通路（吸気路）１０２を介して、切替ユニット２２の切替バルブ２６からシャワーヘッド２０までの流路１００に吸気されることにより、切替ユニット２２の切替バルブ２６からシャワーヘッド２０までの流路１００内に残された湯水が、連通路（排水路）１０４を経て第４の排水口５４から下方の連通路（排水路）７６，７８，８０に排出され、この連通路（排水路）７８から水栓本体２の外部へ排水される。このとき、シャワーヘッド２０の吐水口（図示せず）を床置きした状態や下向きに配置した状態では、シャワーヘッド２０の吐水口（図示せず）からも残水が排水される。
これらの結果、水供給脚６の上流側の水抜き栓（図示せず）が水抜き側に操作した後に、吸気排水弁ユニット３４の手動操作部材５８を手動操作することにより吸気排水弁ユニット３４の弁体５６を開弁させるだけで、水栓本体２に対して吸気及び排水を同時に効率よく行うことができる。よって、煩雑な操作を要することなく、簡単に水栓本体２内に対して水抜きをすることができる。また、水抜き操作を行った後に吸気排水弁ユニット３４の弁体５６を１回の手動操作により開弁させるだけで、水栓本体２に対して吸気及び排水が同時に行われるため、効率よく且つ確実に水栓本体２内の水抜きを行うことができる。
【００４６】
さらに、本実施形態による湯水混合水栓装置１によれば、吸気排水弁ユニット３４の吸気排水弁本体３２により開閉される吸気部Ｉの各吸気口３６，３８，４０，４２，４４，４６や排水部Ｏの排水口４８，５０，５２，５４が水栓本体２自体に集約して設けられているため、寒冷地以外の一般地で使用されている水供給脚及び湯供給脚と、これらに接続されている一般地用の水栓本体について、一般地で使用されている水供給脚及び湯供給脚をそのまま使用し、一般地用の水栓本体のみを本実施形態の湯水混合水栓装置１の水栓本体２に交換するだけで、寒冷地に対応することができ、使い勝手がよい。
【００４７】
さらに、本実施形態による湯水混合水栓装置１によれば、サーモユニット１６が、湯流入部１６ａ及び水流入部１６ｂから湯水流出部１６ｃに向かって下方に傾斜するように水栓本体２内に傾斜して配置されている。したがって、水栓本体２への給水が停止される水抜き操作を行った後に、手動操作部材５８を手動操作することにより吸気排水弁本体３２を開弁させると、サーモユニット１６内の残水を湯水流出部１６ｃから排出しやすくすることができる。したがって、サーモユニット１６内に水が残されて凍結してしまうことを防ぐことができ、凍結によるサーモユニット１６の破損を防ぐことができる。
【００４８】
また、本実施形態による湯水混合水栓装置１によれば、シャワーホース接続部材９８の内部に形成されている流路１００は、排水部Ｏの第４の排水口５４及び連通路（排水路）１０４よりも上方に位置しており、排水部Ｏの最低位置よりも上方に位置している。したがって、水栓本体２への給水が停止される水抜き操作を行った後に、手動操作部材５８を手動操作することにより吸気排水弁本体３２を開弁させると、シャワーホース２０ａの流路１００内からシャワーホース接続部材９８の流路１００内に流れ込んだ残水を連通路（排水路）１０４を経て、吸気排水弁本体３２の弁体５６により開放される排水部Ｏの第４の排水口５４から確実に排水することができ、シャワーホース接続部材９８の流路１００内に水が残されて凍結してしまうことを防ぐことができる。
【００４９】
なお、本実施形態においては、水栓本体２の内部の水を連通路（排水路）７６，７８，８０を通じて直接的に水栓本体２の外部へと排水する形態について説明したが、連通路（排水路）７６，７８，８０をカラン１８及び／又はシャワーヘッド２０の吐水部と接続することで、これらの吐水部を通じて間接的に水栓本体２の外部に排水する形態にしても良い。
【００５０】
つぎに、図９〜図１６を参照して、本発明の第２実施形態による湯水混合水栓装置について説明する。
まず、図９は、本発明の第２実施形態による湯水混合水栓装置を斜め後方から見た斜視図である。
図１０に示すように、本発明の第２実施形態による湯水混合水栓装置２００は、給湯源（図示せず）から供給される湯と給水源（図示せず）から供給される水を混合し、単一の操作ハンドル２０２を操作することにより湯水の流量と温度を調整した湯水をスパウト２０４の先端部の吐水口２０６から吐止水することができる、いわゆる、シングルレバー式の湯水混合水栓装置である。
【００５１】
すなわち、本実施形態の湯水混合水栓装置２００は、台所のシンク又は洗面台のカウンターＢ上に配置された水栓本体２０８と、この水栓本体２０８の上部に設けられた操作ハンドル２０２を備えている。
操作ハンドル２０２は、水栓本体２０８に対して水平左右方向に延びる所定の操作軸線Ａ１を中心に鉛直平面内で所定の回動角度θ（以下「流調操作角度θ」）まで回動操作が可能であり、流調操作角度θに応じて湯水混合水栓装置２００を止水状態から最大流量の吐水状態まで湯水の吐水流量を調節する流調操作が可能となっている。
また、操作ハンドル２０２は、水栓本体２０８に対して上下方向に延びる所定の操作軸線Ａ２を中心に水平平面内で所定の回動角度φ（以下「温調操作角度φ」）で回動操作が可能であり、温調操作角度φに応じて湯水混合水栓装置２００のスパウト２０４の吐水口２０６から吐水される湯水の温度を調節する温調操作が可能となっている。
【００５２】
すなわち、操作ハンドル２０２を所定の操作軸線Ａ１を中心に所定の流調操作角度θで上方（図９に示す「開」の方向）に回動操作した場合には、スパウト２０４の吐水口２０６から吐出される湯水が吐水状態に設定されるようになっており、操作ハンドル２０２を回動させる流調操作角度θを大きく設定する程、スパウト２０４の吐水口２０６から吐出される湯水の流量が大きく設定されるようになっている。
一方、例えば、流調操作角度θが０°になるように、操作ハンドル２０２を下方（図９に示す「閉」の方向）に回動操作した場合には、スパウト２０４の吐水口２０６から吐出される湯水が止水状態に設定されるようになっている。
【００５３】
さらに、操作ハンドル２０２を所定の操作軸線Ａ２を中心に所定の温調操作角度φで図９に示す「Ｃ」の方向に回動させた場合には、温調操作角度φの大きさが大きい程、スパウト２０４の吐水口２０６から吐出される湯水の温度がより低温側に設定されるようになっている。
一方、操作ハンドル２０２を所定の操作軸線Ａ２を中心に所定の温調操作角度φで図９に示す「Ｈ」の方向に回動操作した場合には、温調操作角度φの大きさが大きい程、スパウト２０４の吐水口２０６から吐出される湯水の温度がより高温側に設定されるようになっている。
【００５４】
つぎに、図９及び図１０に示すように、水栓本体２０８の下方には、水道管等の給水源（図示せず）からの給水される水を水栓本体２０８内に供給する給水管２１０と、給湯源である給湯器（図示せず）からの湯を供給する給湯管２１２がそれぞれ設けられている。
また、この給水管２１０の上流側の流路には、寒冷地等において湯水混合水栓装置２００に対して水抜きを行う際に操作される水抜き栓（図示せず）が設けられている。
さらに、水栓本体２０８の背面側には、手動により開閉する吸気排水弁本体２１４を備えた吸気排水弁ユニット２１６（詳細は後述する）と、この吸気排水弁ユニット２１６の吸気排水弁本体２１４が開弁することにより吸気及び排水が可能となる連通部Ｃ（詳細は後述する）と、吸気排水弁ユニット２１６の吸気排水弁本体２１４が開弁することにより排水が可能となる排水部Ｄ（詳細は後述する）が設けられている。
【００５５】
給水管２１０の上流側の水抜き栓（図示せず）が水抜き側に操作され、給水管２１０から水栓本体２０８の通水路２１８への給水が停止された後、手動操作部材２４２を手動操作することにより吸気排水弁ユニット２１６の吸気排水弁本体２１４が開弁すると、スパウト２０４の吐水口２０６から詳細は後述する水栓本体２０８内の流路に対して外気が吸気され、その後、連通部Ｃにも吸気されるようになっている。
これにより、この連通部Ｃ内の湯及び／又は水は、給水管２１０及び給湯管２１２のそれぞれの上流側に排水されると共に、詳細は後述する吸気排水弁ユニット２１４により開放される排水部Ｄから水栓本体２０８の外部に排水されるようになっている。
【００５６】
つぎに、図９〜図１３を参照して、本実施形態の湯水混合水栓装置の水栓本体の内部構造について説明する。
図１０は、図９のＸ−Ｘ線に沿った断面図であり、本発明の第２実施形態による湯水混合水栓装置における通湯路及び通水路の正面断面を含む正面断面図である。
また、図１１は、図１０のＸＩ−ＸＩ線に沿った断面図であり、本発明の第２実施形態による湯水混合水栓装置における通水路の右側側面断面を含む側面断面図である。
さらに、図１２は、図１０のＸＩＩ−ＸＩＩ線に沿った断面図であり、本発明の第２実施形態による湯水混合水栓装置における中央側面断面図である。
また、図１３は、図１０のＸＩＩＩ−ＸＩＩＩ線に沿った断面図であり、本発明の第２実施形態による湯水混合水栓装置におけるバルブユニットの平面断面を含む平面断面図である。
【００５７】
まず、図１０、図１１及び図１３に示すよう、水栓本体２０８内には、その下方（上流）の給水管２１０から供給された水が通過する通水路２１８が上下方向に延びるように形成されると共に、下方（上流）給湯管２１２から供給された湯が通過する通湯路２２０が上下方向に延びるように形成されている。これらの通水路２１８及び通湯路２２０のそれぞれの上端部（下流側端部）は、水栓本体２０８内の上方に内蔵されているバルブユニット２２２の固定弁体２２４の通水路２２４ａ及び通湯路２２４ｂのそれぞれに接続されている。
【００５８】
つぎに、図１０〜図１３に示すように、バルブユニット２２２は、下方に配置されて固定弁体２２４と、この固定弁体２２４の上面に対して摺動可能に且つ回転可能に取り付けられる可動弁体２２６と、可動弁体２２６と操作ハンドル２０２とを接続する接続レバー２２８を備えている。操作ハンドル２０２による流量操作角度θの操作により、接続レバー２２８が可動弁体２２６を固定弁体２２４の上面に沿って前後方向に摺動させることができるようになっており、操作ハンドル２０２による温調操作角度φの操作により、接続レバー２２８が可動弁体２２６を固定弁体２２４の上面内で回転することができるようになっている。
また、図１２及び図１３に示すように、可動弁体２２６の中央部には、可動弁体２２６が開弁した状態で、固定弁体２２４の通水路２２４ａから供給された水と固定弁体２２４の通湯路２２４ｂから供給された湯とが混合される混合室２２６ａが形成されている。
この可動弁体２２６は、開弁している状態では、その混合室２２６ａと固定弁体２２４の通水路２２４ａ及び通湯路２２４ｂの少なくとも一方とが連通するようになっており、混合室２２６で混合された湯水は、可動弁体２２６の混合室２２６ａの下方（下流側）の固定弁体２２４の湯水混合路２２４ｃに流入するようになっている。
【００５９】
さらに、図１０、図１２及び図１３に示すように、水栓本体２０８内における、通水路２１８及び通湯路２２０の背面側には、湯水混合路２３０が形成されており、この湯水混合路２３０の上端部（上流側端部）は、固定弁体２２４の湯水混合路２２４ｃに接続され、湯水混合路２３０の下流側は、スパウト２０４内の流路２０４ａ（図１２参照）と連通している。
これらの構成により、操作ハンドル２０２による流量操作角度θの操作に応じて、可動弁体２２６が固定弁体２２４の通水路２２４ａ及び通湯路２２４ｂを開閉する開閉弁として機能し、スパウト２０４の吐水口２０６からの吐水及び止水を切り替え可能である共に、操作ハンドル２０２による温調操作角度φの操作に応じて、固定弁体２２４の通水路２２４ａ及び通湯路２２４ｂのそれぞれから固定弁体２２４の湯水混合路２２４ｃに流入する湯及び水のそれぞれの量が調節されることにより湯水の温度が調節され、この温度調節された湯水は、水栓本体２０８の湯水混合路２３０からスパウト２０４内の流路２０４ａを経て、スパウト２０４の吐水口２０６から吐水されるようになっている。
【００６０】
つぎに、図９〜図１６を参照して、本実施形態の湯水混合水栓装置２００の吸気排水弁ユニット２１６、この吸気排水弁ユニット２１６の吸気排水弁本体２１４が開弁することにより吸気及び排水が可能となる連通部Ｃ、及び、吸気排水弁ユニット２１６によりの吸気排水弁本体２１４が開弁することにより吸気及び排水が可能となる排水部Ｄの詳細について説明する。
図１４は、本発明の第２実施形態による湯水混合水栓装置の吸気排水弁ユニットの分解斜視図であり、図１５は、図１１に示す本発明の第２実施形態による湯水混合水栓装置の吸気排水弁ユニットを部分的に拡大して示す部分拡大断面図であり、図１６は、図１２に示す本発明の第２実施形態による湯水混合水栓装置の吸気排水弁ユニットを部分的に拡大して示す部分拡大断面図である。
【００６１】
まず、図１４〜図１６に示すように、吸気排水弁ユニット２１６が取り付けられる水栓本体２０８の背面の吸気排水弁ユニット取付部Ａには、吸気排水弁ユニット２１６の吸気排水弁本体２１４が手動で開弁することにより吸気及び排水が可能となる連通部Ｃとして、吸気排水弁本体２１４により開閉される第１の連通口２３２、第２の連通口２３４及び第３の連通口２３６がそれぞれ形成されている。
また、水栓本体２０８の背面の吸気排水弁ユニット取付部Ａには、吸気排水弁ユニット２１６の吸気排水弁本体２１４が手動で開弁することにより吸気及び排水が可能となる排水部Ｄとして、排水口２３８が形成されている。
【００６２】
つぎに、図１４〜図１６に示すように、吸気排水弁ユニット２１６の吸気排水弁本体２１４は、水栓本体２０８の背面側に設けられた吸気排水弁ユニット取付部Ａに形成される、連通部Ｃの３つの連通口２３２，２３４，２３６及び排水部Ｄの排水口２３８に対して同時に開閉する弁体２４０を備えている。
また、吸気排水弁ユニット２１６は、弁体２４０の背面側に固定され且つ手動操作することにより弁体２４０を開閉操作する手動操作部材２４２を備えている。
なお、図１５及び図１６に示す弁体２４０においては、弁体２４０の前面２４０ａが水栓本体２０８の背面（シート面）２４４に当接した閉弁状態の弁体２４０を示している。
さらに、手動操作部材２４２は、弁体２４０の背面に固定されて弁体２４０を保持する弁体保持部２４２ａと、この弁体保持部２４２ａの背面の中心から後方側に所定長さ延びるように形成された回動軸部２４２ｂと、この回動軸部２４２ｂの後端面に固定されたつまみ部２４２ｃを備えている。また、回動軸部２４２ｂの外周面には、雄ねじ２４２ｄが形成されている。
【００６３】
さらに、図１４〜図１６に示すように、吸気排水弁ユニット２１６は、弁体２４０の背面側に取り付けられて弁体２４０及び手動操作部材２４２を保持する保持部材２４６を備えている。この保持部材２４６は、これと対向する水栓本体２０８の背面２４４にボルト２４８によって固定されている。
また、図１４〜図１６に示すように、保持部材２４６には、前後方向に貫く雌ねじ穴２４６ａが形成されており、この雌ねじ穴２４６ａは、手動操作部材２４２の回動軸部２４２ｂが挿入されて且つ回動軸部２４２ｂの雄ねじ２４２ｄと螺合している。使用者が手動操作部材２４２のつまみ部２４２ｃを指でつまんで、手動操作部材２４２の長手方向の中心軸線Ｌ２回りに回転させると、手動操作部材２４２の回動軸部２４２ｂが回動し、手動操作部材２４２が保持部材２４６に対して前後方向に摺動することにより、手動操作部材２４２の弁体保持部２４２ａに固定されている弁体２４２を前後方向に移動させて開閉させることができるようになっている。
【００６４】
さらに、図１５及び図１６に示すように、保持部材２４６の前方側には、手動操作部材２４２の弁体保持部２４２ａが前後方向に摺動可能にする作動室２５０が形成されている。
図１５に示すように、手動操作部材２４２のつまみ部２４２ｃを長手方向の中心軸線Ｌ２回りに回転させることにより弁体２４０を後方側に摺動させる場合、手動操作部材２４２の弁体保持部２４２ａの背面２４２ｅが、これと前後方向に対応する作動室２５０内の奥行面２５０ａに当接するまで、手動操作部材２４２が中心軸線Ｌ２回りに回動可能であり、且つ、中心軸線Ｌ２に沿って後方側に摺動可能となっている。
一方、図１５に示すように、手動操作部材２４２のつまみ部２４２ｃを長手方向の中心軸線Ｌ２回りに回転させることにより弁体５６を前方側に摺動させる場合、弁体２４０の前面（シール面）２４０ａが、吸気排水弁ユニット取付部Ａの水栓本体２の背面（シート面）２４４に当接するまで、手動操作部材２４２が中心軸線Ｌ２回りに回動可能であり、且つ、中心軸線Ｌ２に沿って前方側に摺動可能となっている。
【００６５】
なお、図１５及び図１６に示す符号Ｐ２は、最も開弁している状態の弁体２４０の前面２４０ａの位置を示しており、弁体２４０が開弁すると、弁体２４０の前面２４０ａと水栓本体２０８の背面（シート面）２４４との間には、図１４に示す水栓本体２０８の背面２４４の連通部Ｃの３つの連通口２３２，２３４，２３６及び排水部Ｄの排水口２３８のそれぞれと連通する連通室Ｓ２が形成されるようになっている。
【００６６】
つぎに、図１０、図１１、図１４及び図１５に示すように、水栓本体２０８内には、可動弁体２２６よりも上流側の通水路２１８と水栓本体２０８の背面の第１の連通口２３２とを連通させる第１の連通路２５２が連通部Ｃの一部として形成されている。
同様に、図１０及び図１５に示すように、可動弁体２２６よりも上流側の通湯路２２０についても、水栓本体２０８の背面の第２の連通口２３４と連通させる第２の連通路２５４が連通部Ｃの一部として形成されている。また、弁体２４０の前方側の連通室Ｓ２は、弁体２４０が開弁している状態では、連通部Ｃの第２の連通口２３４及び第２の連通路２５４と連通するようになっている。
【００６７】
つぎに、図１４及び図１６に示すように、水栓本体２０８内には、湯水混合路２３０の途中と水栓本体２０８の背面の第３の連通口２３６及び連通室Ｓ２とを連通する第３の連通路２５８が形成されている。
また、連通室Ｓ２は、弁体２４０が開弁している状態では、連通部Ｃの第３の連通口２３６及び第３の連通路２５８と連通するようになっている。
給水管２１０の上流側の水抜き栓（図示せず）が水抜き側に操作され、給水管２１０から水栓本体２０８の通水路２１８への給水が停止された後、吸気排水弁ユニット２１６の手動操作部材２４２を中心軸線Ｌ２回りに手動で回転操作し、吸気排水弁本体２１４の弁体２４０を開弁操作すると、水栓本体２０８の背面２４４の連通部Ｃの３つの連通口２３２，２３４，２３６及び排水部Ｄの排水口２３８が同時に開放されるようになっている。このとき、給水管２１０の上流側の流路内の水圧が低下することにより負圧が発生し、この負圧によって、水栓本体２０８の通水路２１８内の水が給水管２１０内を通じて給水管２１０の上流側へ排出されるようになっている。
【００６８】
また、図１４及び図１６に示すように、水栓本体２０８には、吸気排水弁ユニット２１６の下方近傍に排水口２６０が排水部Ｄの一部として設けられている。
さらに、水栓本体２０８内の排水口２６０と排水口２３８との間には、排水口２３８から前方側に所定距離延びた後、下方側に屈曲して所定距離下方に延び、再び後方側に屈曲して所定距離後方に延びる排水路２６２が排水部Ｄの一部として形成されている。
【００６９】
上述した本発明の第２実施形態による湯水混合水栓装置２００によれば、給水管２１０の上流側の水抜き栓（図示せず）が水抜き側に操作され、給水管２１０から水栓本体２０８の通水路２１８への給水が停止された後、吸気排水弁ユニット２１６の手動操作部材２４２を中心軸線Ｌ２回りに手動で回転操作し、吸気排水弁本体２１４の弁体２４０を開弁操作すると、水栓本体２０８の背面２４４の連通部Ｃの３つの連通口２３２，２３４，２３６及び排水部Ｄの排水口２３８が同時に開放される。このとき、給水管２１０の上流側の流路内の水圧が低下することにより負圧が発生し、この負圧によって、水栓本体２０８の通水路２１８内の水が給水管２１０内を通じて給水管２１０の上流側へ排出される。
さらに、スパウト２０４の吐水口２０６から、その上流側の湯水混合路２３０に吸気され、湯水混合路２３０から連通部Ｃの第３の連通路２５８及び第３の連通口２３６を経て、弁体２４０の前方側の連通室Ｓ２内に吸気されることにより、湯水混合路２３０内の湯水が連通部Ｃの第３の連通路２５８及び第３の連通口２３６を経て、弁体２４０の前方側の連通室Ｓ２内に排水される。
そして、弁体２４０の前方側の連通室Ｓ２内の排水が、排水部Ｄの排水口２３８から排水路２６２を経て、下方の排水口２６０から水栓本体２０８の外部に排水される。
この結果、給水管２１０の上流側の水抜き栓（図示せず）が水抜き側に操作される水抜き操作を行った後に、吸気排水弁ユニット２１６の手動操作部材２４２を手動操作することにより吸気排水弁本体２１４を開弁させるだけで、水栓本体２０８内に対して吸気及び排水を同時に効率よく行うことができる。したがって、煩雑な操作を要することなく、簡単に水栓本体２０８内に対して水抜きをすることができる。
また、水抜き操作を行った後に、吸気排水弁ユニット２１６の手動操作部材２４２の１回の手動操作により吸気排水弁本体２１４を開弁させるだけで、水栓本体２０８に対して吸気及び排水を同時に行うことができるため、効率よく且つ確実に水栓本体２０８内の水抜きを行うことができる。
【００７０】
また、本発明の第２実施形態による湯水混合水栓装置２００によれば、水栓本体２０８には、吸気排水弁ユニット２１６の下方近傍に排水口２６０が排水部Ｄの一部として設けられている。したがって、給水管２１０の上流側の水抜き栓（図示せず）が水抜き側に操作され、給水管２１０から水栓本体２０８の通水路２１８への給水が停止された後、手動操作部材２４２を手動操作することにより吸気排水弁本体２１４の弁体２４０が開弁操作された際に、湯水混合路２３０内から連通部Ｃの第３の連通路２５８及び第３の連通口２３６を経て排水された連通室Ｓ２内の排水について、排水部Ｄの排水口２３８から排水路２６２を経て、下方の排水口２６０から水栓本体２０８の外部に排水することができるため、より効率よく水栓本体２０８内の水抜きを行うことができる。
【００７１】
つぎに、図１７を参照して、本発明の第３実施形態による湯水混合水栓装置について説明する。
図１７は、本発明の第３実施形態による湯水混合水栓装置における通水路の右側側面断面に沿った側面断面図である。
なお、図１７に示す本発明の第３実施形態による湯水混合水栓装置３００において、図１５及び図１６に示す本発明の第２実施形態による湯水混合水栓装置２００と同一部分については同一の符号を付し、これらの説明については省略する。
【００７２】
図１７に示すように、本発明の第３実施形態による湯水混合水栓装置３００については、吸気排水弁ユニット２１６が取り付けられる水栓本体３０６の背面の吸気排水弁ユニット取付部Ａに、連通部Ｃの第１の連通口２３２及び第１の連通路２５２、第２の連通口２３４及び第２の連通路２５４、並びに、第３の連通口２３６及び第３の連通路２５８が形成されている点で、上述した本発明の第２実施形態による湯水混合水栓装置２００と共通するが、本発明の第２実施形態による湯水混合水栓装置２００の排水部Ｃの排水口２３８、排水口２６０及び排水路２６２が設けられていない点で異なった構成となっている。
また、図１７では、吸気排水弁ユニット２１６の吸気排水弁本体２１４の弁体２４０については、開弁している状態を示しており、水抜き操作時における連通部Ｃの吸気及び排水の流れを矢印で示している。
【００７３】
上述した本発明の第３実施形態による湯水混合水栓装置３００によれば、給水管２１０の上流側の水抜き栓（図示せず）が水抜き側に操作されると、給水源（図示せず）から水栓本体３０８への給水が停止された後、吸気排水弁ユニット２１６の手動操作部材２４２を中心軸線Ｌ２回りに手動で回転操作し、吸気排水弁本体２１４の弁体２４０を開弁操作すると、連通部Ｃの各連通口２３２，２３４，２３６が開放された状態となる。
これにより、スパウト２０４の吐水口２０６から、その上流側の湯水混合路２３０に吸気され、湯水混合路２３０から連通部Ｃの第３の連通路２５８及び第３の連通口２３６を経て、弁体２４０の前方側の連通室Ｓ３内に吸気されることにより、湯水混合路２３０内の湯水が連通部Ｃの第３の連通路２５８及び第３の連通口２３６を経て、弁体２４０の前方側の連通室Ｓ３内に排水される。
そして、弁体２４０の前方側の連通室Ｓ３から連通部Ｃの第１の連通口２３２及び第１の連通路２５２に吸気されることにより、弁体２４０の前方側の連通室Ｓ３内の排水の一部が、連通部Ｃの第１の連通口２３２及び第１の連通路２５２を経て、可動弁体２２６の混合室２２６ａよりも上流側の通水路２１８に排水された後、給水管２１０の上流側へ排水される。
同時に、弁体２４０の前方側の連通室Ｓ３から連通部Ｃの第２の連通口２３４及び第２の連通路２５４に吸気されることにより、弁体２４０の前方側の連通室Ｓ３内の排水の残部が、連通部Ｃの第２の連通口２３４及び第２の連通路２５４を経て、可動弁体２２６の混合室２２６ａよりも上流側の通湯路２２０に排水された後、給湯管２１２の上流側へ排水される。
これらの結果、給水管２１０の上流側の水抜き栓（図示せず）が水抜き側に操作される水抜き操作を行った後に、吸気排水弁ユニット２１６の手動操作部材２４２を手動操作することにより吸気排水弁本体２１４を開弁させるだけで、水栓本体２０８内に対して吸気及び排水を同時に効率よく行うことができる。したがって、煩雑な操作を要することなく、簡単に水栓本体２０８内に対して水抜きをすることができる。
【００７４】
なお、本発明の第３実施形態による湯水混合水栓装置３００においては、例として、図９〜図１６に示す本発明の第２実施形態による湯水混合水栓装置２００の排水部Ｃの排水口２３８、排水口２６０及び排水路２６２のような排水手段を省略した形態について説明したが、このような形態に限られず、本発明の第３実施形態による湯水混合水栓装置の変形例として、これらの排水手段２３８，２６０，２６２を省略しない形態を採用してもよい。
このような本発明の第３実施形態による湯水混合水栓装置の変形例によれば、給水管２１０の上流側の水抜き栓（図示せず）が水抜き側に操作され、給水管２１０から水栓本体２０８の通水路２１８への給水が停止された後、吸気排水弁ユニット２１６の手動操作部材２４２を中心軸線Ｌ２回りに手動で回転操作し、吸気排水弁本体２１４の弁体２４０を開弁操作すると、水栓本体２０８の背面２４４の連通部Ｃの３つの連通口２３２，２３４，２３６及び排水部Ｄの排水口２３８が同時に開放される。このとき、給水管２１０の上流側の流路内の水圧が低下することにより負圧が発生し、この負圧によって、水栓本体２０８の通水路２１８内の水が給水管２１０内を通じて給水管２１０の上流側へ排出される。
さらに、スパウト２０４の吐水口２０６から、その上流側の湯水混合路２３０に吸気され、湯水混合路２３０から連通部Ｃの第３の連通路２５８及び第３の連通口２３６を経て、弁体２４０の前方側の連通室Ｓ２内に吸気されることにより、湯水混合路２３０内の湯水が連通部Ｃの第３の連通路２５８及び第３の連通口２３６を経て、弁体２４０の前方側の連通室Ｓ２内に排水される。
そして、連通室Ｓ２から連通部Ｃの第１の連通口２３２及び第１の連通路２５２に吸気されることにより、弁体２４０の前方側の連通室Ｓ２内の排水の一部について、連通部Ｃの第１の連通口２３２及び第１の連通路２５２を経て、可動弁体２２６の混合室２２６ａよりも上流側の通水路２１８に排水した後、給水管２１０の上流側へ排水することができる。
また、同時に、弁体２４０の前方側の連通室Ｓ２から連通部Ｃの第２の連通口２３４及び第２の連通路２５４に吸気されることにより、弁体２４０の前方側の連通室Ｓ２内の排水の一部について、連通部Ｃの第２の連通口２３４及び第２の連通路２５４を経て、可動弁体２２６の混合室２２６ａよりも上流側の通湯路２２０に排水した後、給湯管２１２の上流側へ排水することができる。
さらに、同時に、弁体２４０の前方側の連通室Ｓ２内の排水の一部について、排水部Ｄの排水口２３８から排水路２６２を経て、下方の排水口２６０から水栓本体２０８の外部に排水することもできるため、より効率よく且つ確実に水栓本体２０８内の水抜きを行うことができる。
【符号の説明】
【００７５】
１    本発明の第１実施形態による湯水混合水栓装置
２    水栓本体
４    湯供給脚
６    水供給脚
８    通湯路
８ａ  湯用逆流防止弁よりも上流側の通湯路（第２の流路）
８ｂ  湯用逆流防止弁からサーモユニットまでの通湯路
（第３の流路、第７の流路）
１０    通水路
１０ａ  水用逆流防止弁よりも上流側の通水路（第１の流路）
１０ｂ  水用逆流防止弁からサーモユニットまでの通水路
（第３の流路、第６の流路）
１２    湯用逆流防止弁
１４    水用逆流防止弁
１６    サーモユニット（湯水混合部、温度調節機能部）
１６ａ  サーモユニットの湯流入部（温度調節機能部の湯流入部）
１６ｂ  サーモユニットの水流入部（温度調節機能部の水流入部）
１６ｃ  サーモユニットの湯水流出部（温度調節機能部の湯水流出部）
１８    カラン（カラン吐水部）
２０    シャワーヘッド（シャワー吐水部）
２０ａ  シャワーホース
２２    切替ユニット（切替部）
２４    湯水混合路（第８の流路）
２６    切替バルブ（開閉弁）
２８    湯温調節用ダイヤル
３０    吐止水切替ハンドル
３２    吸気排水弁本体（吸気排水弁）
３４    吸気排水弁ユニット（吸気排水弁）
３６    連通口、第１の吸気口（第１の吸気部）
３８    第２の吸気口（第２の吸気部）
４０    第３の吸気口（第３の吸気部、第６の吸気部）
４２    第４の吸気口（第３の吸気部、第６の吸気部）
４４    第５の吸気口（第５の吸気部）
４６    第６の吸気口（第６の吸気部）
４８    第１の排水口（第１の排水部、第３の排水部）
５０    第２の排水口（第１の排水部、第４の排水部）
５２    第３の排水口（第１の排水部、第５の排水部）
５４    第４の排水口（第２の排水部）
５６    弁体（吸気排水弁）
５６ａ  弁体の前面（シール面）
５８    手動操作部材（手動操作部）
５８ａ  手動操作部材の弁体保持部
５８ｂ  手動操作部材の回動軸部
５８ｃ  手動操作部材のつまみ部
５８ｄ  手動操作部材の回動軸部の雄ねじ
５８ｅ  手動操作部材の弁体保持部の背面
６０    水栓本体の背面（シート面）
６２    保持部材
６２ａ  雌ねじ穴
６２ａ  通気穴
６４    ボルト
６６    作動室
６６ａ  奥行面
６８    連通路（第１の吸気部）
７４    連通路（連通部、吸気部）
７６    連通路（連通部、排水部）
７８    連通路（排水部）
８０    連通路（排水部）
８２    連通路（第２の吸気部）
８４    連通路（第３の吸気部、第６の吸気部）
８６    連通路（第１の排水部、第３の排水部）
８８    連通路（第３の吸気部、第７の吸気部）
９０    連通路（第１の排水部、第４の排水部）
９２    連通路（第１の排水部、第５の排水部）
９４    切替ユニットの切替バルブからカランまでの流路（第４の流路）
９６    連通路（第４の吸気部）
９８    接続部材（シャワーホース接続部）
１００    切替ユニットの切替バルブからシャワーヘッドまでの流路（第５の流路）
１０２    連通路（第５の吸気部）
１０４    連通路（第２の排水部）
Ａ    吸気排水弁ユニット取付部
Ｌ１  手動操作部材の長手方向の中心軸線
Ｉ    吸気排水弁ユニットにより開放される吸気部
Ｏ    吸気排水弁ユニットにより開放される排水部
Ｓ１  連通室
２００    本発明の第２実施形態による湯水混合水栓装置
２０２    操作ハンドル
２０４    スパウト
２０４ａ  スパウト内の流路
２０６    スパウトの吐水口（吐水部）
２０８    水栓本体
２１０    給水管
２１２    給湯管
２１４    吸気排水弁本体
２１６    吸気排水弁ユニット
２１８    通水路
２２０    通湯路
２２２    バルブユニット
２２４    固定弁体
２２４ａ  固定弁体の通水路
２２４ｂ  固定弁体の通湯路
２２４ｃ  固定弁体の湯水混合路
２２６    可動弁体（開閉弁）
２２６ａ  可動弁体の混合室（湯水混合部、湯水混合路）
２２８    接続レバー
２３０    湯水混合路
２３２    第１の連通口（第１の連通部）
２３４    第２の連通口（第２の連通部）
２３６    第３の連通口（第３の連通部）
２３８    排水口（排水部）
２４０    弁体
２４０ａ  弁体の前面（シール面）
２４２    手動操作部材（手動操作部）
２４２ａ  手動操作部材の弁体保持部
２４２ｂ  手動操作部材の回動軸部
２４２ｃ  手動操作部材のつまみ部
２４２ｄ  手動操作部材の回動軸部の雄ねじ
２４２ｅ  手動操作部材の弁体保持部の背面
２４４    水栓本体の背面（シート面）
２４６    保持部材
２４６ａ  雌ねじ穴
２４８    ボルト
２５０    作動室
２５０ａ  奥行面
２５２    第１の連通路（第１の連通部）
２５４    第２の連通路（第２の連通部）
２５８    第３の連通路（第３の連通部）
２６０    排水口（排水部）
２６２    排水路（排水部）
Ａ１  操作軸線
Ａ２  操作軸線
Ｂ    カウンター
Ｃ    吸気排水弁ユニットにより吸気及び排水が可能となる連通部
Ｄ    吸気排水弁ユニットにより吸気及び排水が可能となる排水部
Ｌ２  手動操作部材の長手方向の中心軸線
Ｓ２  連通室
θ    流調操作角度
φ    温調操作角度
３００    本発明の第３実施形態による湯水混合水栓装置
３０８    水栓本体
Ｓ３  連通室
【図１】
0006497500.tif 000002
【図２】
0006497500.tif 000003
【図３】
0006497500.tif 000004
【図４】
0006497500.tif 000005
【図５】
0006497500.tif 000006
【図６】
0006497500.tif 000007
【図７】
0006497500.tif 000008
【図８】
0006497500.tif 000009
【図９】
0006497500.tif 000010
【図１０】
0006497500.tif 000011
【図１１】
0006497500.tif 000012
【図１２】
0006497500.tif 000013
【図１３】
0006497500.tif 000014
【図１４】
0006497500.tif 000015
【図１５】
0006497500.tif 000016
【図１６】
0006497500.tif 000017
【図１７】
0006497500.tif 000018
【図１８】
0006497500.tif 000019